(57)【要約】      （修正有）【課題】低電圧で駆動する有機エレクトロルミネッセンス素子を提供する。【解決手段】陽極と陰極との間に含まれた有機層を備え、有機層は、一般式（１）で表される第一の化合物、及び一般式（２）で表される第二の化合物を含む。ただし、一般式（１）において、Ａ１及びＡ２のうち少なくとも一方は、一般式（１ａ）で表される置換基であり、一般式（２）において、Ｘ１〜Ｘ３のうち少なくとも１つは、Ｎを示す。2020061389.tif 000228【選択図】なし【特許請求の範囲】
【請求項１】
陽極と、
陰極と、
前記陽極と前記陰極との間に含まれた有機層と、を備え、
前記有機層は、下記一般式（１）で表される第一の化合物、及び下記一般式（２）で表される第二の化合物を含む、
有機エレクトロルミネッセンス素子。
【化１】
2020061389.tif 000201
（前記一般式（１）中、Ｒ１、Ｒ２、Ｒ３、及びＲ４は、それぞれ独立して、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、
炭素数１〜２５のアルキル基及び環形成炭素数６〜２４のアリール基からなる群から選択される１以上の基で置換されたカルボニル基、又は、
−Ｐ（＝Ｏ）Ｒ１２０Ｒ１２１を示す。
Ｒ１２０及びＲ１２１は、それぞれ独立して、
置換もしくは無置換の環形成炭素数６〜２４のアリール基、又は
置換もしくは無置換の環形成原子数３〜３０の複素環基である。
ａは、０、１、２、３、又は４である。
ｂは、０、１、２、又は３である。
ｃは、０、１、２、又は３である。
ｄは、０、１、２、３、又は４である。
ａが２以上の場合、複数のＲ１は、互いに同一であるか、又は異なる。
ｂが２以上の場合、複数のＲ２は、互いに同一であるか、又は異なる。
ｃが２以上の場合、複数のＲ３は、互いに同一であるか、又は異なる。
ｄが２以上の場合、複数のＲ４は、互いに同一であるか、又は異なる。
ａ＋ｂ＋ｃ＋ｄ≧２の場合、Ｒ１〜Ｒ４から選ばれる２つ以上の置換基は、互いに結合して環を形成するか、又は環を形成しない。
Ａ１及びＡ２は、それぞれ独立して、
下記一般式（１ａ）で表される置換基、
置換もしくは無置換の炭素数６〜３０のアリール基、又は
置換もしくは無置換の炭素数５〜３０の複素環基を示す。
ただし、Ａ１及びＡ２のうち少なくとも一方は、下記一般式（１ａ）で表される置換基である。）
【化２】
2020061389.tif 000202
（前記一般式（１ａ）中、
Ａｒ１１は、置換もしくは無置換の環形成炭素数１０〜３０の縮合アリーレン基を示す。
Ｌ１１は、
単結合、又は
置換もしくは無置換の環形成炭素数６〜３０のアリーレン基を示す。）
【化３】
2020061389.tif 000203
（前記一般式（２）中、
Ｘ１〜Ｘ３は、それぞれ独立して、ＣＲ８又はＮを示す。ただし、Ｘ１〜Ｘ３のうち少なくとも１つは、Ｎを示す。
Ｒ５〜Ｒ７及びＲ８は、それぞれ独立して、
水素原子、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
炭素数１〜２５のアルキル基及び環形成炭素数６〜２４のアリール基からなる群から選択される１以上の基で置換されたカルボニル基、
シアノ基、又は
−Ｐ（＝Ｏ）Ｒ１４Ｒ１５基を示す。
Ｒ５〜Ｒ７及びＲ８のうち少なくとも１つは、置換もしくは無置換の環形成炭素数６〜２４のアリール基、又は置換もしくは無置換の環形成原子数３〜３０の複素環基を示す。
Ｒ１４及びＲ１５は、それぞれ独立して、
置換もしくは無置換の炭素数１〜２５のアルキル基、
置換もしくは無置換の環形成炭素数６〜２４のアリール基、又は
置換もしくは無置換の環形成原子数３〜３０の複素環基を示す。
Ｒ８は、Ｒ５〜Ｒ７のうち少なくともいずれかと結合して環を形成するか、又は環を形成しない。）
【請求項２】
請求項１に記載の有機エレクトロルミネッセンス素子において、
前記第一の化合物が、下記一般式（１０）で表される化合物である、有機エレクトロルミネッセンス素子。
【化４】
2020061389.tif 000204
（前記一般式（１０）中、Ｒ１，Ｒ２，Ｒ３，Ｒ４，ａ，ｂ，ｃ，ｄ，Ａ１及びＡ２は、前記一般式（１）で定義したものと同義である。）
【請求項３】
請求項１に記載の有機エレクトロルミネッセンス素子において、
前記第一の化合物が、下記一般式（１１）で表される化合物である、有機エレクトロルミネッセンス素子。
【化５】
2020061389.tif 000205
（前記一般式（１１）中、Ｒ１，Ｒ２，Ｒ３，Ｒ４，ａ，ｂ，ｃ，ｄ，Ａ１及びＡ２は、前記一般式（１）で定義したものと同義である。）
【請求項４】
請求項１から請求項３のいずれか一項に記載の有機エレクトロルミネッセンス素子において、
Ａｒ１１が、置換もしくは無置換の環形成炭素数１４〜２０の縮合アリーレン基である、有機エレクトロルミネッセンス素子。
【請求項５】
請求項１から請求項４のいずれか一項に記載の有機エレクトロルミネッセンス素子において、
Ａｒ１１が、
置換もしくは無置換のフェナントリレン基、又は
置換もしくは無置換のトリフェニレニレン基である、有機エレクトロルミネッセンス素子。
【請求項６】
請求項１から請求項５のいずれか一項に記載の有機エレクトロルミネッセンス素子において、
前記第二の化合物が、下記一般式（２０）で表される化合物である、有機エレクトロルミネッセンス素子。
【化６】
2020061389.tif 000206
（前記一般式（２０）中、
Ｘ１〜Ｘ３，Ｒ５及びＲ６は、前記一般式（２）で定義した通りである。
Ｌ１は、置換もしくは無置換の環形成炭素数６〜２４のアリーレン基、又は置換もしくは無置換の環形成原子数５〜３０のヘテロアリーレン基である。
ｆは、０〜４の整数であり、
ｆが２〜４のとき、複数のＬ１は、互いに同一であるか、又は異なる。
Ｂは、下記一般式（２０ａ）で表される基である。）
【化７】
2020061389.tif 000207
（前記一般式（２０ａ）中、
Ｒ２０は、
Ｌ１と結合する単結合、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。
Ｒ５０及びＲ５１は、それぞれ独立して、
Ｌ１と結合する単結合、
水素原子、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、又は
−Ｐ（＝Ｏ）Ｒ１４Ｒ１５基を示す。
Ｒ５０及びＲ５１は、互いに結合して置換もしくは無置換の環形成炭素数６〜２４の芳香族環基を形成するか、又は形成しない。
Ｒ１４及びＲ１５は、前記一般式（２）で定義した通りである。
Ｙ１は、炭素原子又は窒素原子である。
Ａｒ１は、
隣接する含窒素五員環の炭素原子及びＹ１を共有して、当該含窒素五員環に縮合する、置換もしくは無置換の環形成炭素数６〜２４の芳香族炭化水素環、又は
隣接する含窒素五員環の炭素原子及びＹ１を共有して、当該含窒素五員環に縮合する、置換もしくは無置換の環形成原子数５〜３０の芳香族複素環である。
ただし、一般式（２０ａ）で表される基は、Ｒ２０がＬ１と結合する単結合であるか、Ｒ５０がＬ１と結合する単結合であるか、Ｒ５１がＬ１と結合する単結合であるか、又はＡｒ１で表される環がＬ１と結合する。］
【請求項７】
請求項１から請求項６のいずれか一項に記載の有機エレクトロルミネッセンス素子において、
前記第二の化合物が、下記一般式（２１）で表される化合物である、有機エレクトロルミネッセンス素子。
【化８】
2020061389.tif 000208
（前記一般式（２１）中、
Ｘ１〜Ｘ３，Ｒ５及びＲ６は、前記一般式（２）で定義した通りである。
Ｌ１は、置換もしくは無置換の環形成炭素数６〜２４のアリーレン基、又は置換もしくは無置換の環形成原子数５〜３０のヘテロアリーレン基である。
ｆは、０〜４の整数であり、
ｆが２〜４のとき、複数のＬ１は、互いに同一であるか、又は異なる。
Ｙ１は、炭素原子又は窒素原子である。
Ａｒ１は、
隣接する含窒素五員環の炭素原子及びＹ１を共有して、当該含窒素五員環に縮合する、置換もしくは無置換の環形成炭素数６〜２４の芳香族炭化水素環、又は
隣接する含窒素五員環の炭素原子及びＹ１を共有して、当該含窒素五員環に縮合する、置換もしくは無置換の環形成原子数５〜３０の芳香族複素環である。
Ｒ５０及びＲ５１は、それぞれ独立して、
水素原子、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、又は
−Ｐ（＝Ｏ）Ｒ１４Ｒ１５基を示す。
Ｒ５０及びＲ５１は、互いに結合して置換もしくは無置換の環形成炭素数６〜２４の芳香族環基を形成するか、又は形成しない。
Ｒ１４及びＲ１５は、前記一般式（２）で定義した通りである。］
【請求項８】
請求項７に記載の有機エレクトロルミネッセンス素子において、
前記第二の化合物は、下記一般式（２２）で表される化合物である、有機エレクトロルミネッセンス素子。
【化９】
2020061389.tif 000209
［前記一般式（２２）中、
Ｘ１〜Ｘ３，Ｒ５，Ｒ６，Ｌ１，ｆ，Ｙ１及びＡｒ１は、前記一般式（２１）で定義した通りである。
Ｒ５２は、
水素原子、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、又は
−Ｐ（＝Ｏ）Ｒ１４Ｒ１５基を示す。
Ｒ１４及びＲ１５は、前記一般式（２）で定義した通りである。
ｇは、０〜４の整数であり、
ｇが２〜４のとき、複数のＲ５２は、互いに同一であるか、又は異なり、隣接するＲ５２同士は、互いに結合して環を形成するか、又は環を形成しない。］
【請求項９】
請求項８に記載の有機エレクトロルミネッセンス素子において、
前記第二の化合物が、下記一般式（２３）で表される化合物である、有機エレクトロルミネッセンス素子。
【化１０】
2020061389.tif 000210
［前記一般式（２３）中、Ｘ１〜Ｘ３，Ｒ５，Ｒ６，Ｌ１，ｆ，Ｒ５２及びｇは、前記一般式（２２）で定義した通りである。複数のｇは、互いに同一であるか、又は異なる。］
【請求項１０】
請求項９に記載の有機エレクトロルミネッセンス素子において、
前記第二の化合物が、下記一般式（２４）で表される化合物である、有機エレクトロルミネッセンス素子。
【化１１】
2020061389.tif 000211
［前記一般式（２４）中、
Ｘ１〜Ｘ３，Ｒ５，Ｒ６，Ｌ１，ｆ，Ｒ５２及びｇは、前記一般式（２３）で定義した通りである。
ｈは、０〜３の整数であり、ｈが２又は３のとき、複数のＲ５２は、互いに同一であるか、又は異なる。複数のｈは、互いに同一であるか、又は異なる。
Ｒ５３は、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。］
【請求項１１】
請求項６に記載の有機エレクトロルミネッセンス素子において、
前記第二の化合物が、下記一般式（２０Ｘ）で表される化合物である、有機エレクトロルミネッセンス素子。
【化１２】
2020061389.tif 000212
［前記一般式（２０Ｘ）中、
Ｘ１〜Ｘ３，Ｒ５，Ｒ６，Ｌ１，及びｆは、前記一般式（２０）で定義した通りである。
Ｒ２０は、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。
Ｒ５２は、
水素原子、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、又は
−Ｐ（＝Ｏ）Ｒ１４Ｒ１５基を示す。
Ｒ１４及びＲ１５は、前記一般式（２）で定義した通りである。
ｇは、０〜４の整数であり、
ｇが２〜４のとき、複数のＲ５２は、互いに同一であるか、又は異なり、隣接するＲ５２同士は、互いに結合して環を形成するか、又は環を形成しない。
ｇｘは、０〜３の整数であり、
ｇｘが２〜３のとき、複数のＲ５２は、互いに同一であるか、又は異なり、隣接するＲ５２同士は、互いに結合して環を形成するか、又は環を形成しない。］
【請求項１２】
請求項６に記載の有機エレクトロルミネッセンス素子において、
前記第二の化合物は、下記一般式（２５）で表される化合物である、有機エレクトロルミネッセンス素子。
【化１３】
2020061389.tif 000213
［前記一般式（２５）中、
Ｘ１〜Ｘ３，Ｒ５，Ｒ６，Ｌ１，ｆ，Ｒ５２及びｇは、前記一般式（２２）で定義した通りである。
Ｙ２は、ＣＲ５４Ｒ５５、ＮＲ５６、酸素原子、又は硫黄原子である。
Ｒ５４〜Ｒ５６は、それぞれ独立して、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。
Ａｒ２は、
隣接する２つの五員環を構成するそれぞれ２つの炭素原子を共有して、当該２つの五員環に縮合する、置換もしくは無置換の環形成炭素数６〜２４の芳香族炭化水素環、又は
隣接する２つの五員環を構成するそれぞれ２つの炭素原子を共有して、当該２つの五員環に縮合する、置換もしくは無置換の環形成原子数５〜３０の複素芳香族環である。］
【請求項１３】
請求項１２に記載の有機エレクトロルミネッセンス素子において、
前記第二の化合物が、下記一般式（２５Ａ）〜（２５Ｆ）のいずれかで表される化合物である、有機エレクトロルミネッセンス素子。
【化１４】
2020061389.tif 000214
【化１５】
2020061389.tif 000215
【化１６】
2020061389.tif 000216
［前記一般式（２５Ａ）〜（２５Ｆ）中、
Ｘ１〜Ｘ３，Ｒ５，Ｒ６，Ｌ１，ｆ，Ｙ２，Ｒ５２及びｇは、前記一般式（２５）で定義した通りである。
ｅは、０〜２の整数であり、ｅが２のとき、複数のＲ５２は、互いに同一であるか、又は異なる。］
【請求項１４】
請求項１２又は請求項１３に記載の有機エレクトロルミネッセンス素子において、
Ｙ２が、ＣＲ５４Ｒ５５、又はＮＲ５６であり、
Ｒ５４〜Ｒ５６は、前記一般式（２５）で定義した通りである、有機エレクトロルミネッセンス素子。
【請求項１５】
請求項１２から請求項１４のいずれか一項に記載の有機エレクトロルミネッセンス素子において、
前記第二の化合物が、下記一般式（２６Ａ）〜（２６Ｆ）のいずれかで表される化合物である、有機エレクトロルミネッセンス素子。
【化１７】
2020061389.tif 000217
【化１８】
2020061389.tif 000218
【化１９】
2020061389.tif 000219
［前記一般式（２６Ａ）〜（２６Ｆ）中、
Ｘ１〜Ｘ３，Ｒ５，Ｒ６，Ｌ１，ｆ，Ｒ５２及びｇは、前記一般式（２５）で定義した通りである。
Ｒ５７は、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。
ｅは、０〜２の整数であり、ｅが２のとき、複数のＲ５２は、互いに同一であるか、又は異なる。］
【請求項１６】
請求項１２から請求項１４のいずれか一項に記載の有機エレクトロルミネッセンス素子において、
前記第二の化合物が、下記一般式（２７Ａ）〜（２７Ｆ）のいずれかで表される化合物である、有機エレクトロルミネッセンス素子。
【化２０】
2020061389.tif 000220
【化２１】
2020061389.tif 000221
【化２２】
2020061389.tif 000222
［前記一般式（２７Ａ）〜（２７Ｆ）中、
Ｘ１〜Ｘ３，Ｒ５，Ｒ６，Ｌ１，ｆ，Ｒ５２及びｇは、前一般記式（２５）で定義した通りである。
Ｒ５８は、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。
複数のＲ５８は、互いに同一であるか、又は異なる。複数のＲ５８は、互いに結合して環を形成するか、又は環を形成しない。
ｅは、０〜２の整数であり、ｅが２のとき、複数のＲ５２は、互いに同一であるか、又は異なる。］
【請求項１７】
請求項１から請求項５のいずれか一項に記載の有機エレクトロルミネッセンス素子において、
前記第二の化合物が、下記一般式（３０）で表される化合物である、有機エレクトロルミネッセンス素子。
【化２３】
2020061389.tif 000223
［前記一般式（３０）中、
Ｘ１〜Ｘ３，Ｒ５及びＲ６は、前記一般式（２）で定義した通りである。
Ｌ１は、置換もしくは無置換の環形成炭素数６〜２４のアリーレン基、又は置換もしくは無置換の環形成原子数５〜３０のヘテロアリーレン基である。
ｆは、０〜４の整数であり、ｆが２〜４のとき、複数のＬ１は、互いに同一であるか、又は異なる。
Ｒ６０は、
置換もしくは無置換の環形成炭素数１０〜２４の縮合アリール基、又は
置換もしくは無置換の環形成原子数９〜３０の縮合ヘテロアリール基である。］
【請求項１８】
請求項１７に記載の有機エレクトロルミネッセンス素子において、
前記第二の化合物が、下記一般式（３１）で表される化合物である、有機エレクトロルミネッセンス素子。
【化２４】
2020061389.tif 000224
［前記一般式（３１）中、
Ｘ１〜Ｘ３，Ｒ５，Ｒ６，Ｌ１及びｆは、前記一般式（３０）で定義した通りである。
Ｒ５９は、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、又は
−Ｐ（＝Ｏ）Ｒ１４Ｒ１５基を示す。
Ｒ１４及びＲ１５は、前記一般式（２）で定義した通りである。
ｇは、０〜４の整数であり、ｈは、０〜３の整数である。
ｇが２〜４の整数のとき、又はｈが２又は３のとき、複数のＲ５９は、互いに同一であるか、又は異なり、隣接するＲ５９同士は、互いに結合して環を形成するか、又は環を形成しない。］
【請求項１９】
請求項１７に記載の有機エレクトロルミネッセンス素子において、
前記第二の化合物が、下記一般式（３２）で表される化合物である、有機エレクトロルミネッセンス素子。
【化２５】
2020061389.tif 000225
［前記一般式（３２）中、
Ｘ１〜Ｘ３，Ｒ５，Ｒ６，Ｌ１及びｆは、前記一般式（３０）で定義した通りである。
Ｒ６１は、置換もしくは無置換の環形成原子数９〜３０の、窒素原子を含まない縮合ヘテアリール基である。］
【請求項２０】
請求項１１に記載の有機エレクトロルミネッセンス素子において、
Ｌ１は、下記一般式（２０Ｙ）で表される２価の連結基を含む、有機エレクトロルミネッセンス素子。
【化２６】
2020061389.tif 000226
［前記一般式（２０Ｙ）中、
Ｘ４は、ＣＲ６５Ｒ６６、ＮＲ６７、酸素原子、又は硫黄原子である。
Ｒ６３は、
水素原子、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、又は
−Ｐ（＝Ｏ）Ｒ１４Ｒ１５基を示す。
Ｒ１４及びＲ１５は、前記一般式（２）で定義した通りである。
Ｒ６４及びＲ６５〜Ｒ６７は、それぞれ独立して、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。
ｇは、０〜４の整数であり、ｈは、０〜３の整数である。ｇが２〜４の整数のとき、又はｈが２又は３のとき、複数のＲ６３は、互いに同一であるか、又は異なり、隣接するＲ６３同士は、互いに結合して環を形成するか、又は環を形成しない。］
【請求項２１】
請求項２０に記載の有機エレクトロルミネッセンス素子において、
前記第二の化合物は、下記一般式（３４）で表される化合物である、有機エレクトロルミネッセンス素子。
【化２７】
2020061389.tif 000227
［前記一般式（３４）中、
Ｘ１〜Ｘ３，Ｒ５及びＲ６は、前記一般式（２）で定義した通りである。
Ｘ４は、ＣＲ６５Ｒ６６、ＮＲ６７、酸素原子、又は硫黄原子である。
Ｒ６３は、
水素原子、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、又は
−Ｐ（＝Ｏ）Ｒ１４Ｒ１５基を示す。
Ｒ１４及びＲ１５は、前記一般式（２）で定義した通りである。
Ｒ６４及びＲ６５〜Ｒ６７は、それぞれ独立して、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。
ｇは、０〜４の整数であり、ｈは、０〜３の整数である。ｇが２〜４の整数のとき、又はｈが２又は３のとき、複数のＲ６３は、互いに同一であるか、又は異なり、隣接するＲ６３同士は、互いに結合して環を形成するか、又は環を形成しない。］
【請求項２２】
請求項６から請求項２０のいずれか一項に記載の有機エレクトロルミネッセンス素子において、
ｆが、０又は１である、有機エレクトロルミネッセンス素子。
【請求項２３】
請求項１から請求項２２のいずれか一項に記載の有機エレクトロルミネッセンス素子において、
前記有機層は、複数の層で構成され、
前記第一の化合物、及び前記第二の化合物は、同一の層に含まれている、有機エレクトロルミネッセンス素子。
【請求項２４】
請求項１から請求項２３のいずれか一項に記載の有機エレクトロルミネッセンス素子において、
前記有機層は、発光層を含み、
前記発光層は、前記第一の化合物、及び前記第二の化合物を含有する、有機エレクトロルミネッセンス素子。
【請求項２５】
請求項２４に記載の有機エレクトロルミネッセンス素子において、
前記発光層が、さらに発光材料を含有する、有機エレクトロルミネッセンス素子。
【請求項２６】
請求項２５に記載の有機エレクトロルミネッセンス素子において、
前記発光層は、前記発光材料として燐光発光材料を含有し、
前記燐光発光材料は、イリジウム、オスミウム、及び白金からなる群から選択されるいずれかの金属原子のオルトメタル化錯体である、有機エレクトロルミネッセンス素子。
【請求項２７】
請求項２４から請求項２６のいずれか一項に記載の有機エレクトロルミネッセンス素子において、
前記陽極と前記発光層との間に、さらに正孔輸送層を有する、有機エレクトロルミネッセンス素子。
【請求項２８】
請求項２４から請求項２７のいずれか一項に記載の有機エレクトロルミネッセンス素子において、
前記陰極と前記発光層との間に、さらに電子輸送層を有する、有機エレクトロルミネッセンス素子。
【請求項２９】
請求項１から請求項２８のいずれか一項に記載の有機エレクトロルミネッセンス素子を搭載した、電子機器。
【発明の詳細な説明】
【技術分野】
【０００１】
本発明は、有機エレクトロルミネッセンス素子及び電子機器に関する。
【背景技術】
【０００２】
特許文献１及び特許文献２には、第一ホストとしてシアノ基を有する特定構造のビスカルバゾール誘導体を用い、第二ホストとしてカルバゾリル基誘導体構造及び窒素含有へテロ芳香族環の両方を有する化合物を用いた有機エレクトロルミネッセンス素子が記載されている。この有機エレクトロルミネッセンス素子によれば、長寿命であることが特許文献１及び特許文献２に記載されている。
【先行技術文献】
【特許文献】
【０００３】
【特許文献１】国際公開第２０１３／０８４８８５号
【特許文献２】国際公開第２０１３／１４５９２３号
【発明の概要】
【発明が解決しようとする課題】
【０００４】
有機エレクトロルミネッセンス素子には、駆動電圧の低下が求められている。
【０００５】
本発明の目的は、従来よりも低電圧で駆動する有機エレクトロルミネッセンス素子、及び当該有機エレクトロルミネッセンス素子を搭載した電子機器を提供することである。
【課題を解決するための手段】
【０００６】
本発明の一態様によれば、陽極と、陰極と、前記陽極と前記陰極との間に含まれた有機層と、を備え、前記有機層は、下記一般式（１）で表される第一の化合物、及び下記一般式（２）で表される第二の化合物を含む、有機エレクトロルミネッセンス素子が提供される。
【０００７】
【化１】
2020061389.tif 000002
【０００８】
（前記一般式（１）中、Ｒ１、Ｒ２、Ｒ３、及びＲ４は、それぞれ独立して、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、
炭素数１〜２５のアルキル基及び環形成炭素数６〜２４のアリール基からなる群から選択される１以上の基で置換されたカルボニル基、又は、
−Ｐ（＝Ｏ）Ｒ１２０Ｒ１２１を示す。
Ｒ１２０及びＲ１２１は、それぞれ独立して、
置換もしくは無置換の環形成炭素数６〜２４のアリール基、又は
置換もしくは無置換の環形成原子数３〜３０の複素環基である。
ａは、０、１、２、３、又は４である。
ｂは、０、１、２、又は３である。
ｃは、０、１、２、又は３である。
ｄは、０、１、２、３、又は４である。
ａが２以上の場合、複数のＲ１は、互いに同一であるか、又は異なる。
ｂが２以上の場合、複数のＲ２は、互いに同一であるか、又は異なる。
ｃが２以上の場合、複数のＲ３は、互いに同一であるか、又は異なる。
ｄが２以上の場合、複数のＲ４は、互いに同一であるか、又は異なる。
ａ＋ｂ＋ｃ＋ｄ≧２の場合、Ｒ１〜Ｒ４から選ばれる２つ以上の置換基は、互いに結合して環を形成するか、又は環を形成しない。
Ａ１及びＡ２は、それぞれ独立して、
下記一般式（１ａ）で表される置換基、
置換もしくは無置換の炭素数６〜３０のアリール基、又は
置換もしくは無置換の炭素数５〜３０の複素環基を示す。
ただし、Ａ１及びＡ２のうち少なくとも一方は、下記一般式（１ａ）で表される置換基である。）
【０００９】
【化２】
2020061389.tif 000003
【００１０】
（前記一般式（１ａ）中、
Ａｒ１１は、置換もしくは無置換の環形成炭素数１０〜３０の縮合アリーレン基を示す。
Ｌ１１は、
単結合、又は
置換もしくは無置換の環形成炭素数６〜３０のアリーレン基を示す。）
【００１１】
【化３】
2020061389.tif 000004
【００１２】
（前記一般式（２）中、
Ｘ１〜Ｘ３は、それぞれ独立して、ＣＲ８又はＮを示す。ただし、Ｘ１〜Ｘ３のうち少なくとも１つは、Ｎを示す。
Ｒ５〜Ｒ７及びＲ８は、それぞれ独立して、
水素原子、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
炭素数１〜２５のアルキル基及び環形成炭素数６〜２４のアリール基からなる群から選択される１以上の基で置換されたカルボニル基、
シアノ基、又は
−Ｐ（＝Ｏ）Ｒ１４Ｒ１５基を示す。
Ｒ５〜Ｒ７及びＲ８のうち少なくとも１つは、置換もしくは無置換の環形成炭素数６〜２４のアリール基、又は置換もしくは無置換の環形成原子数３〜３０の複素環基を示す。
Ｒ１４及びＲ１５は、それぞれ独立して、
置換もしくは無置換の炭素数１〜２５のアルキル基、
置換もしくは無置換の環形成炭素数６〜２４のアリール基、又は
置換もしくは無置換の環形成原子数３〜３０の複素環基を示す。
Ｒ８は、Ｒ５〜Ｒ７のうち少なくともいずれかと結合して環を形成するか、又は環を形成しない。）
【００１３】
本発明の一態様によれば、前述の本発明の一態様に係る有機エレクトロルミネッセンス素子を搭載した、電子機器が提供される。
【発明の効果】
【００１４】
本発明の一態様によれば、従来よりも低電圧で駆動する有機エレクトロルミネッセンス素子、及び当該有機エレクトロルミネッセンス素子を搭載した電子機器を提供することができる。
【図面の簡単な説明】
【００１５】
【図１】一実施形態に係る有機エレクトロルミネッセンス素子の一例の概略構成を示す図である。
【発明を実施するための形態】
【００１６】
〔第一実施形態〕
（有機ＥＬ素子の素子構成）
本実施形態に係る有機ＥＬ素子は、一対の電極間に有機層を備える。この有機層は、有機化合物で構成される層を少なくとも一つ含む。あるいは、この有機層は、有機化合物で構成される複数の層が積層されてなる。有機層は、無機化合物をさらに含んでいてもよい。本実施形態の有機ＥＬ素子において、有機層のうち少なくとも一層は、発光層である。ゆえに、有機層は、例えば、一つの発光層で構成されていてもよいし、有機ＥＬ素子に採用され得る層を含んでいてもよい。有機ＥＬ素子に採用され得る層としては、特に限定されないが、例えば、正孔注入層、正孔輸送層、電子注入層、電子輸送層、及び障壁層からなる群から選択される少なくともいずれかの層が挙げられる。
【００１７】
本実施形態において、前記陽極と前記発光層との間に、さらに正孔輸送層を有することが好ましい。
本実施形態において、前記陰極と前記発光層との間に、さらに電子輸送層を有することが好ましい。
【００１８】
有機ＥＬ素子の代表的な素子構成としては、例えば、次の（ａ）〜（ｆ）等の構成を挙げることができる。
（ａ）陽極／発光層／陰極
（ｂ）陽極／正孔注入・輸送層／発光層／陰極
（ｃ）陽極／発光層／電子注入・輸送層／陰極
（ｄ）陽極／正孔注入・輸送層／発光層／電子注入・輸送層／陰極
（ｅ）陽極／正孔注入・輸送層／発光層／障壁層／電子注入・輸送層／陰極
（ｆ）陽極／正孔注入・輸送層／障壁層／発光層／障壁層／電子注入・輸送層／陰極
上記の中で（ｄ）の構成が好ましく用いられる。ただし、本発明は、これらの構成に限定されない。なお、上記「発光層」とは、発光機能を有する有機層である。前記「正孔注入・輸送層」は「正孔注入層、及び正孔輸送層のうちの少なくともいずれか１つ」を意味する。前記「電子注入・輸送層」は「電子注入層、及び電子輸送層のうちの少なくともいずれか１つ」を意味する。有機ＥＬ素子が、正孔注入層、及び正孔輸送層を有する場合には、正孔輸送層と陽極との間に正孔注入層が設けられていることが好ましい。また、有機ＥＬ素子が電子注入層、及び電子輸送層を有する場合には、電子輸送層と陰極との間に電子注入層が設けられていることが好ましい。また、正孔注入層、正孔輸送層、電子輸送層、及び電子注入層のそれぞれは、一層で構成されていてもよいし、複数の層で構成されていてもよい。
【００１９】
図１に、本実施形態に係る有機ＥＬ素子の一例の概略構成を示す。
有機ＥＬ素子１は、透光性の基板２と、陽極３と、陰極４と、陽極３と陰極４との間に配置された有機層１０と、を有する。有機層１０は、正孔注入層６、正孔輸送層７、発光層５、電子輸送層８、及び電子注入層９を含む。有機層１０は、陽極３側から順に、正孔注入層６、正孔輸送層７、発光層５、電子輸送層８、及び電子注入層９が、この順番で積層されている。
【００２０】
（発光層）
有機ＥＬ素子１の発光層５は、第一の化合物、及び第二の化合物を含む。
【００２１】
（第一の化合物）
第一の化合物は、下記一般式（１）で表される。
【００２２】
【化４】
2020061389.tif 000005
【００２３】
（前記一般式（１）中、Ｒ１、Ｒ２、Ｒ３、及びＲ４は、それぞれ独立して、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、
炭素数１〜２５のアルキル基及び環形成炭素数６〜２４のアリール基からなる群から選択される１以上の基で置換されたカルボニル基、又は、
−Ｐ（＝Ｏ）Ｒ１２０Ｒ１２１を示す。
Ｒ１２０及びＲ１２１は、それぞれ独立して、
置換もしくは無置換の環形成炭素数６〜２４のアリール基、又は
置換もしくは無置換の環形成原子数３〜３０の複素環基である。
ａは、０、１、２、３、又は４である。
ｂは、０、１、２、又は３である。
ｃは、０、１、２、又は３である。
ｄは、０、１、２、３、又は４である。
ａが２以上の場合、複数のＲ１は、互いに同一であるか、又は異なる。
ｂが２以上の場合、複数のＲ２は、互いに同一であるか、又は異なる。
ｃが２以上の場合、複数のＲ３は、互いに同一であるか、又は異なる。
ｄが２以上の場合、複数のＲ４は、互いに同一であるか、又は異なる。
ａ＋ｂ＋ｃ＋ｄ≧２の場合、Ｒ１〜Ｒ４から選ばれる２つ以上の置換基は、互いに結合して環を形成するか、又は環を形成しない。
Ａ１及びＡ２は、それぞれ独立して、
下記一般式（１ａ）で表される置換基、
置換もしくは無置換の炭素数６〜３０のアリール基、又は
置換もしくは無置換の炭素数５〜３０の複素環基を示す。
ただし、Ａ１及びＡ２のうち少なくとも一方は、下記一般式（１ａ）で表される置換基である。）
【００２４】
【化５】
2020061389.tif 000006
【００２５】
（前記一般式（１ａ）中、
Ａｒ１１は、置換もしくは無置換の環形成炭素数１０〜３０の縮合アリーレン基を示す。
Ｌ１１は、
単結合、又は
置換もしくは無置換の環形成炭素数６〜３０のアリーレン基を示す。）
【００２６】
第一の化合物が、下記一般式（１０）で表される化合物であることが好ましい。
【００２７】
【化６】
2020061389.tif 000007
【００２８】
（前記一般式（１０）中、Ｒ１，Ｒ２，Ｒ３，Ｒ４，ａ，ｂ，ｃ，ｄ，Ａ１及びＡ２は、前記一般式（１）で定義したものと同義である。）
【００２９】
前記一般式（１０）で表される化合物は、下記一般式（１１）で表される化合物であることが好ましい。
【００３０】
【化７】
2020061389.tif 000008
【００３１】
（前記一般式（１１）中、Ｒ１，Ｒ２，Ｒ３，Ｒ４，ａ，ｂ，ｃ，ｄ，Ａ１及びＡ２は、前記一般式（１）で定義したものと同義である。）
【００３２】
第一の化合物が、下記一般式（１２）で表される化合物であることも好ましい。
【００３３】
【化８】
2020061389.tif 000009
【００３４】
（前記一般式（１２）中、Ｒ１，Ｒ２，Ｒ３，Ｒ４，ａ，ｂ，ｃ，ｄ，Ａ１及びＡ２は、前記一般式（１）で定義したものと同義である。）
【００３５】
第一の化合物は、下記一般式（１０ａ）で表されることも好ましい。
【００３６】
【化９】
2020061389.tif 000010
【００３７】
（前記一般式（１０ａ）中、Ｒ１，Ｒ２，Ｒ３，Ｒ４，ａ，ｂ，ｃ，ｄ，Ａ１及びＡ２は、前記一般式（１）で定義したものと同義である。）
【００３８】
第一の化合物は、下記一般式（１０ｂ）で表されることも好ましい。
【００３９】
【化１０】
2020061389.tif 000011
【００４０】
（前記一般式（１０ｂ）中、Ｒ１，Ｒ２，Ｒ３，Ｒ４，ａ，ｂ，ｃ，ｄ，Ａ１及びＡ２は、前記一般式（１）で定義したものと同義である。）
【００４１】
第一の化合物は、下記一般式（１０ｃ）で表されることも好ましい。
【００４２】
【化１１】
2020061389.tif 000012
【００４３】
（前記一般式（１０ｃ）中、Ｒ１，Ｒ２，Ｒ３，Ｒ４，ａ，ｂ，ｃ，ｄ，Ａ１及びＡ２は、前記一般式（１）で定義したものと同義である。）
【００４４】
第一の化合物は、下記一般式（１０ｄ）で表されることも好ましい。
【００４５】
【化１２】
2020061389.tif 000013
【００４６】
（前記一般式（１０ｄ）中、Ｒ１，Ｒ２，Ｒ３，Ｒ４，ａ，ｂ，ｃ，ｄ，Ａ１及びＡ２は、前記一般式（１）で定義したものと同義である。）
【００４７】
第一の化合物は、下記一般式（１０ｅ）で表されることも好ましい。
【００４８】
【化１３】
2020061389.tif 000014
【００４９】
（前記一般式（１０ｅ）中、Ｒ１，Ｒ２，Ｒ３，Ｒ４，ａ，ｂ，ｃ，ｄ，Ａ１及びＡ２は、前記一般式（１）で定義したものと同義である。）
【００５０】
第一の化合物は、下記一般式（１０ｆ）で表されることも好ましい。
【００５１】
【化１４】
2020061389.tif 000015
【００５２】
（前記一般式（１０ｆ）中、Ｒ１，Ｒ２，Ｒ３，Ｒ４，ａ，ｂ，ｃ，ｄ，Ａ１及びＡ２は、前記一般式（１）で定義したものと同義である。）
【００５３】
第一の化合物は、下記一般式（１０ｇ）で表されることも好ましい。
【００５４】
【化１５】
2020061389.tif 000016
【００５５】
（前記一般式（１０ｇ）中、Ｒ１，Ｒ２，Ｒ３，Ｒ４，ａ，ｂ，ｃ，ｄ，Ａ１及びＡ２は、前記一般式（１）で定義したものと同義である。）
【００５６】
第一の化合物は、下記一般式（１０ｈ）で表されることも好ましい。
【００５７】
【化１６】
2020061389.tif 000017
【００５８】
（前記一般式（１０ｈ）中、Ｒ１，Ｒ２，Ｒ３，Ｒ４，ａ，ｂ，ｃ，ｄ，Ａ１及びＡ２は、前記一般式（１）で定義したものと同義である。）
【００５９】
Ａｒ１１が、置換もしくは無置換の環形成炭素数１４〜２０の縮合アリーレン基であることが好ましい。
【００６０】
Ａｒ１１が、置換もしくは無置換のフェナントリレン基、又は置換もしくは無置換のトリフェニレニレン基であることがより好ましい。
【００６１】
Ａｒ１１が、無置換のフェナントリレン基、又は無置換のトリフェニレニレン基であることも好ましい。
【００６２】
Ａ１及びＡ２のうち一方は、前記一般式（１ａ）で表される置換基であり、他方は置換もしくは無置換の炭素数６〜３０のアリール基、又は置換もしくは無置換の炭素数５〜３０の複素環基を示すことが好ましい。
【００６３】
Ａ１及びＡ２のうち一方は、前記一般式（１ａ）で表される置換基であり、Ａｒ１１が、置換もしくは無置換のフェナントリレン基、又は置換もしくは無置換のトリフェニレニレン基であり、他方は置換もしくは無置換の炭素数６〜３０のアリール基、又は置換もしくは無置換の炭素数５〜３０の複素環基を示すことが好ましい。
【００６４】
Ａ１及びＡ２のうち一方は、前記一般式（１ａ）で表される置換基であり、Ａｒ１１が、置換もしくは無置換のフェナントリレン基、又は置換もしくは無置換のトリフェニレニレン基であり、他方は置換もしくは無置換の炭素数６〜３０のアリール基を示すことが好ましい。
【００６５】
Ａ１は、前記一般式（１ａ）で表される置換基であり、Ａ２は、置換もしくは無置換の炭素数６〜３０のアリール基、又は置換もしくは無置換の炭素数５〜３０の複素環基を示すことが好ましい。
【００６６】
Ａ１は、前記一般式（１ａ）で表される置換基であり、Ａｒ１１が、置換もしくは無置換のフェナントリレン基、又は置換もしくは無置換のトリフェニレニレン基であり、Ａ２は、置換もしくは無置換の炭素数６〜３０のアリール基、又は置換もしくは無置換の炭素数５〜３０の複素環基を示すことが好ましい。
【００６７】
Ａ１は、前記一般式（１ａ）で表される置換基であり、Ａｒ１１が、置換もしくは無置換のフェナントリレン基、又は置換もしくは無置換のトリフェニレニレン基であり、Ａ２は、置換もしくは無置換の炭素数６〜３０のアリール基を示すことが好ましい。
【００６８】
Ｌ１１は、単結合であることが好ましい。
【００６９】
Ａ１とＡ２とが互いに異なる構造の基であることが好ましい。
【００７０】
本実施形態に係る第一の化合物の例を以下に示す。本発明における第一の化合物は、これらの具体例に限定されない。
【００７１】
【化１７】
2020061389.tif 000018
【００７２】
【化１８】
2020061389.tif 000019
【００７３】
【化１９】
2020061389.tif 000020
【００７４】
【化２０】
2020061389.tif 000021
【００７５】
【化２１】
2020061389.tif 000022
【００７６】
【化２２】
2020061389.tif 000023
【００７７】
【化２３】
2020061389.tif 000024
【００７８】
【化２４】
2020061389.tif 000025
【００７９】
【化２５】
2020061389.tif 000026
【００８０】
【化２６】
2020061389.tif 000027
【００８１】
【化２７】
2020061389.tif 000028
【００８２】
【化２８】
2020061389.tif 000029
【００８３】
【化２９】
2020061389.tif 000030
【００８４】
【化３０】
2020061389.tif 000031
【００８５】
【化３１】
2020061389.tif 000032
【００８６】
【化３２】
2020061389.tif 000033
【００８７】
【化３３】
2020061389.tif 000034
【００８８】
【化３４】
2020061389.tif 000035
【００８９】
【化３５】
2020061389.tif 000036
【００９０】
【化３６】
2020061389.tif 000037
【００９１】
【化３７】
2020061389.tif 000038
【００９２】
【化３８】
2020061389.tif 000039
【００９３】
【化３９】
2020061389.tif 000040
【００９４】
【化４０】
2020061389.tif 000041
【００９５】
【化４１】
2020061389.tif 000042
【００９６】
【化４２】
2020061389.tif 000043
【００９７】
【化４３】
2020061389.tif 000044
【００９８】
【化４４】
2020061389.tif 000045
【００９９】
【化４５】
2020061389.tif 000046
【０１００】
【化４６】
2020061389.tif 000047
【０１０１】
【化４７】
2020061389.tif 000048
【０１０２】
【化４８】
2020061389.tif 000049
【０１０３】
【化４９】
2020061389.tif 000050
【０１０４】
【化５０】
2020061389.tif 000051
【０１０５】
【化５１】
2020061389.tif 000052
【０１０６】
【化５２】
2020061389.tif 000053
【０１０７】
【化５３】
2020061389.tif 000054
【０１０８】
【化５４】
2020061389.tif 000055
【０１０９】
【化５５】
2020061389.tif 000056
【０１１０】
【化５６】
2020061389.tif 000057
【０１１１】
【化５７】
2020061389.tif 000058
【０１１２】
【化５８】
2020061389.tif 000059
【０１１３】
【化５９】
2020061389.tif 000060
【０１１４】
【化６０】
2020061389.tif 000061
【０１１５】
【化６１】
2020061389.tif 000062
【０１１６】
【化６２】
2020061389.tif 000063
【０１１７】
（第二の化合物）
第二の化合物は、下記一般式（２）で表される。
【０１１８】
【化６３】
2020061389.tif 000064
【０１１９】
（前記一般式（２）中、
Ｘ１〜Ｘ３は、それぞれ独立して、ＣＲ８又はＮを示す。ただし、Ｘ１〜Ｘ３のうち少なくとも１つは、Ｎを示す。
Ｒ５〜Ｒ７及びＲ８は、それぞれ独立して、
水素原子、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
炭素数１〜２５のアルキル基及び環形成炭素数６〜２４のアリール基からなる群から選択される１以上の基で置換されたカルボニル基、
シアノ基、又は
−Ｐ（＝Ｏ）Ｒ１４Ｒ１５基を示す。
Ｒ５〜Ｒ７及びＲ８のうち少なくとも１つは、置換もしくは無置換の環形成炭素数６〜２４のアリール基、又は置換もしくは無置換の環形成原子数３〜３０の複素環基を示す。
Ｒ１４及びＲ１５は、それぞれ独立して、
置換もしくは無置換の炭素数１〜２５のアルキル基、
置換もしくは無置換の環形成炭素数６〜２４のアリール基、又は
置換もしくは無置換の環形成原子数３〜３０の複素環基を示す。
Ｒ８は、Ｒ５〜Ｒ７のうち少なくともいずれかと結合して環を形成するか、又は環を形成しない。）
【０１２０】
第二の化合物が、下記一般式（２０）で表される化合物であることが好ましい。
【０１２１】
【化６４】
2020061389.tif 000065
【０１２２】
（前記一般式（２０）中、
Ｘ１〜Ｘ３，Ｒ５及びＲ６は、前記一般式（２）で定義した通りである。
Ｌ１は、置換もしくは無置換の環形成炭素数６〜２４のアリーレン基、又は置換もしくは無置換の環形成原子数５〜３０のヘテロアリーレン基である。
ｆは、０〜４の整数であり、
ｆが２〜４のとき、複数のＬ１は、互いに同一であるか、又は異なる。
Ｂは、下記一般式（２０ａ）で表される基である。）
【０１２３】
【化６５】
2020061389.tif 000066
【０１２４】
（前記一般式（２０ａ）中、
Ｒ２０は、
Ｌ１と結合する単結合、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。
Ｒ５０及びＲ５１は、それぞれ独立して、
Ｌ１と結合する単結合、
水素原子、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、又は
−Ｐ（＝Ｏ）Ｒ１４Ｒ１５基を示す。
Ｒ５０及びＲ５１は、互いに結合して置換もしくは無置換の環形成炭素数６〜２４の芳香族環基を形成するか、又は形成しない。
Ｒ１４及びＲ１５は、前記一般式（２）で定義した通りである。
Ｙ１は、炭素原子又は窒素原子である。
Ａｒ１は、
隣接する含窒素五員環の炭素原子及びＹ１を共有して、当該含窒素五員環に縮合する、置換もしくは無置換の環形成炭素数６〜２４の芳香族炭化水素環、又は
隣接する含窒素五員環の炭素原子及びＹ１を共有して、当該含窒素五員環に縮合する、置換もしくは無置換の環形成原子数５〜３０の芳香族複素環である。
ただし、一般式（２０ａ）で表される基は、Ｒ２０がＬ１と結合する単結合であるか、Ｒ５０がＬ１と結合する単結合であるか、Ｒ５１がＬ１と結合する単結合であるか、又はＡｒ１で表される環がＬ１と結合する。）
【０１２５】
第二の化合物が、下記一般式（２１）で表される化合物であることが好ましい。
【０１２６】
【化６６】
2020061389.tif 000067
【０１２７】
（前記一般式（２１）中、
Ｘ１〜Ｘ３，Ｒ５及びＲ６は、前記一般式（２）で定義した通りである。
Ｌ１は、置換もしくは無置換の環形成炭素数６〜２４のアリーレン基、又は置換もしくは無置換の環形成原子数５〜３０のヘテロアリーレン基である。
ｆは、０〜４の整数であり、
ｆが２〜４のとき、複数のＬ１は、互いに同一であるか、又は異なる。
Ｙ１は、炭素原子又は窒素原子である。
Ａｒ１は、
隣接する含窒素五員環の炭素原子及びＹ１を共有して、当該含窒素五員環に縮合する、置換もしくは無置換の環形成炭素数６〜２４の芳香族炭化水素環、又は
隣接する含窒素五員環の炭素原子及びＹ１を共有して、当該含窒素五員環に縮合する、置換もしくは無置換の環形成原子数５〜３０の芳香族複素環である。
Ｒ５０及びＲ５１は、それぞれ独立して、
水素原子、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、又は
−Ｐ（＝Ｏ）Ｒ１４Ｒ１５基を示す。
Ｒ５０及びＲ５１は、互いに結合して置換もしくは無置換の環形成炭素数６〜２４の芳香族環基を形成するか、又は形成しない。
Ｒ１４及びＲ１５は、前記一般式（２）で定義した通りである。）
【０１２８】
第二の化合物は、下記一般式（２２）で表される化合物であることが好ましい。
【０１２９】
【化６７】
2020061389.tif 000068
【０１３０】
［前記一般式（２２）中、
Ｘ１〜Ｘ３，Ｒ５，Ｒ６，Ｌ１，ｆ，Ｙ１及びＡｒ１は、前記一般式（２１）で定義した通りである。
Ｒ５２は、
水素原子、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、又は
−Ｐ（＝Ｏ）Ｒ１４Ｒ１５基を示す。
Ｒ１４及びＲ１５は、前記一般式（２）で定義した通りである。
ｇは、０〜４の整数であり、
ｇが２〜４のとき、複数のＲ５２は、互いに同一であるか、又は異なり、隣接するＲ５２同士は、互いに結合して環を形成するか、又は環を形成しない。］
【０１３１】
第二の化合物が、下記一般式（２３）で表される化合物であることが好ましい。
【０１３２】
【化６８】
2020061389.tif 000069
【０１３３】
［前記一般式（２３）中、Ｘ１〜Ｘ３，Ｒ５，Ｒ６，Ｌ１，ｆ，Ｒ５２及びｇは、前記一般式（２２）で定義した通りである。複数のｇは、互いに同一であるか、又は異なる。］
【０１３４】
第二の化合物が、下記一般式（２４）で表される化合物であることが好ましい。
【０１３５】
【化６９】
2020061389.tif 000070
【０１３６】
［前記一般式（２４）中、
Ｘ１〜Ｘ３，Ｒ５，Ｒ６，Ｌ１，ｆ，Ｒ５２及びｇは、前記一般式（２３）で定義した通りである。
ｈは、０〜３の整数であり、ｈが２又は３のとき、複数のＲ５２は、互いに同一であるか、又は異なる。複数のｈは、互いに同一であるか、又は異なる。
Ｒ５３は、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。］
【０１３７】
前記一般式（２４）で表される化合物の一形態として下記一般式（２４−１）で表される化合物であることが好ましい。
【０１３８】
【化７０】
2020061389.tif 000071
【０１３９】
［前記一般式（２４−１）中、
Ｘ１〜Ｘ３，Ｒ５，Ｒ６，Ｌ１，Ｒ５２及びｇは、前記一般式（２３）で定義した通りである。
Ｂは、前記一般式（２０ａ）で表される基であり、
ｈは、０〜３の整数であり、ｈが２又は３のとき、複数のＲ５２は、互いに同一であるか、又は異なる。複数のｈは、互いに同一であるか、又は異なる。
Ｒ５３は、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。］
【０１４０】
第二の化合物が、下記一般式（２０Ｘ）で表される化合物であることが好ましい。
【０１４１】
【化７１】
2020061389.tif 000072
【０１４２】
［前記一般式（２０Ｘ）中、
Ｘ１〜Ｘ３，Ｒ５，Ｒ６，Ｌ１，及びｆは、前記一般式（２０）で定義した通りである。
Ｒ２０は、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。
Ｒ５２は、
水素原子、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、又は
−Ｐ（＝Ｏ）Ｒ１４Ｒ１５基を示す。
Ｒ１４及びＲ１５は、前記一般式（２）で定義した通りである。
ｇは、０〜４の整数であり、
ｇが２〜４のとき、複数のＲ５２は、互いに同一であるか、又は異なり、隣接するＲ５２同士は、互いに結合して環を形成するか、又は環を形成しない。
ｇｘは、０〜３の整数であり、
ｇｘが２〜３のとき、複数のＲ５２は、互いに同一であるか、又は異なり、隣接するＲ５２同士は、互いに結合して環を形成するか、又は環を形成しない。］
【０１４３】
第二の化合物は、下記一般式（２５）で表される化合物であることが好ましい。
【０１４４】
【化７２】
2020061389.tif 000073
【０１４５】
［前記一般式（２５）中、
Ｘ１〜Ｘ３，Ｒ５，Ｒ６，Ｌ１，ｆ，Ｒ５２及びｇは、前記一般式（２２）で定義した通りである。
Ｙ２は、ＣＲ５４Ｒ５５、ＮＲ５６、酸素原子、又は硫黄原子である。
Ｒ５４〜Ｒ５６は、それぞれ独立して、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。
Ａｒ２は、
隣接する２つの五員環を構成するそれぞれ２つの炭素原子を共有して、当該２つの五員環に縮合する、置換もしくは無置換の環形成炭素数６〜２４の芳香族炭化水素環、又は
隣接する２つの五員環を構成するそれぞれ２つの炭素原子を共有して、当該２つの五員環に縮合する、置換もしくは無置換の環形成原子数５〜３０の複素芳香族環である。］
【０１４６】
第二の化合物が、下記一般式（２５Ａ）〜（２５Ｆ）のいずれかで表される化合物であることが好ましい。
【０１４７】
【化７３】
2020061389.tif 000074
【０１４８】
【化７４】
2020061389.tif 000075
【０１４９】
【化７５】
2020061389.tif 000076
【０１５０】
［前記一般式（２５Ａ）〜（２５Ｆ）中、
Ｘ１〜Ｘ３，Ｒ５，Ｒ６，Ｌ１，ｆ，Ｙ２，Ｒ５２及びｇは、前記一般式（２５）で定義した通りである。
ｅは、０〜２の整数であり、ｅが２のとき、複数のＲ５２は、互いに同一であるか、又は異なる。］
【０１５１】
Ｙ２が、ＣＲ５４Ｒ５５、又はＮＲ５６であり、かつＲ５４〜Ｒ５６は、前記一般式（２５）で定義した通りであることが好ましい。
【０１５２】
第二の化合物が、下記一般式（２６Ａ）〜（２６Ｆ）のいずれかで表される化合物であることが好ましい。
【０１５３】
【化７６】
2020061389.tif 000077
【０１５４】
【化７７】
2020061389.tif 000078
【０１５５】
【化７８】
2020061389.tif 000079
【０１５６】
［前記一般式（２６Ａ）〜（２６Ｆ）中、
Ｘ１〜Ｘ３，Ｒ５，Ｒ６，Ｌ１，ｆ，Ｒ５２及びｇは、前記一般式（２５）で定義した通りである。
Ｒ５７は、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。
ｅは、０〜２の整数であり、ｅが２のとき、複数のＲ５２は、互いに同一であるか、又は異なる。］
【０１５７】
第二の化合物が、下記一般式（２７Ａ）〜（２７Ｆ）のいずれかで表される化合物であることが好ましい。
【０１５８】
【化７９】
2020061389.tif 000080
【０１５９】
【化８０】
2020061389.tif 000081
【０１６０】
【化８１】
2020061389.tif 000082
【０１６１】
［前記一般式（２７Ａ）〜（２７Ｆ）中、
Ｘ１〜Ｘ３，Ｒ５，Ｒ６，Ｌ１，ｆ，Ｒ５２及びｇは、前一般記式（２５）で定義した通りである。
Ｒ５８は、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。
複数のＲ５８は、互いに同一であるか、又は異なる。複数のＲ５８は、互いに結合して環を形成するか、又は環を形成しない。
ｅは、０〜２の整数であり、ｅが２のとき、複数のＲ５２は、互いに同一であるか、又は異なる。］
【０１６２】
第二の化合物が、下記一般式（３０）で表される化合物であることも好ましい。
【０１６３】
【化８２】
2020061389.tif 000083
【０１６４】
［前記一般式（３０）中、
Ｘ１〜Ｘ３，Ｒ５及びＲ６は、前記一般式（２）で定義した通りである。
Ｌ１は、置換もしくは無置換の環形成炭素数６〜２４のアリーレン基、又は置換もしくは無置換の環形成原子数５〜３０のヘテロアリーレン基である。
ｆは、０〜４の整数であり、ｆが２〜４のとき、複数のＬ１は、互いに同一であるか、又は異なる。
Ｒ６０は、
置換もしくは無置換の環形成炭素数１０〜２４の縮合アリール基、又は
置換もしくは無置換の環形成原子数９〜３０の縮合ヘテロアリール基である。］
【０１６５】
置換もしくは無置換の環形成炭素数１０〜２４の縮合アリール基としてのＲ６０は、下記式（ａ１−１）又は（ａ１−２）で表される化合物の１価の残基であることが好ましい。
【０１６６】
【化８３】
2020061389.tif 000084
【０１６７】
［式（ａ１−１）及び（ａ１−２）中、
Ｒ２１〜Ｒ３６は、それぞれ独立に、水素原子又は置換基Ｒｂであって、Ｒｂが複数存在する場合は、それぞれ同一であってもよく、異なっていてもよく、複数存在するＲｂから選ばれる２つが、互いに結合して環を形成してもよい。］
置換基Ｒｂとしては、後述する式（３１）における置換基Ｒ５９と同様のものが挙げられる。
【０１６８】
式（ａ１−１）で表される化合物における置換若しくは無置換の環形成炭素数１０〜２４の縮合環形成残基としては、例えば、下記の縮合芳香族環が挙げられる。中でも、４環以上が縮合した縮合芳香族環基が好ましく、具体的にはトリフェニレニル基等が挙げられる。
【０１６９】
【化８４】
2020061389.tif 000085
【０１７０】
式（ａ１−２）で表される化合物における置換若しくは無置換の環形成炭素数１０〜２４の縮合環形成残基としては、例えば、下記の化合物が挙げられる。４環以上が縮合した縮合環形成基が好ましく、具体的にはフルオランテニル基等が挙げられる。
【０１７１】
【化８５】
2020061389.tif 000086
【０１７２】
置換もしくは無置換の環形成原子数９〜３０の縮合ヘテロアリール基としてのＲ６０は、上記ヘテロアリールとして挙げた基の中で、環形成原子数が９〜３０のものが挙げられる。中でも、下記式（ａ２）で表される化合物の１価の残基であることが好ましい。
【０１７３】
【化８６】
2020061389.tif 000087
【０１７４】
［式（ａ２）中、
Ｘ５１〜Ｘ５８は、それぞれ独立に、ＣＨ、Ｃ（Ｒｂ）又はＮである。
Ｒｂは、置換基であって、Ｒｂが複数存在する場合は、それぞれ同一であってもよく、異なっていてもよく、複数存在するＲｂから選ばれる２つが、互いに結合して環を形成してもよい。
Ｙ４は、酸素原子、硫黄原子、−ＮＲｄ、又は−Ｃ（Ｒｅ）（Ｒｆ）−である。
Ｒｄ、Ｒｅ及びＲｆは、それぞれ独立に、水素原子又は置換基Ｒｂであって、Ｒｅ及びＲｆの両方がＲｂである場合は、互いに結合して環を形成してもよい。］
置換基Ｒｂは上記と同様である。
【０１７５】
前記式（ａ２）で表される化合物の１価の残基が、下記式（ａ２−１）で表される化合物の１価の残基であることが好ましい。
【０１７６】
【化８７】
2020061389.tif 000088
【０１７７】
［式（ａ２−１）中、
Ｙ４は、前記式（ａ２）で定義した通りである。
Ｒ７１〜Ｒ７８は、それぞれ独立に、水素原子又は置換基Ｒｂであり、Ｒｂが複数存在する場合は、それぞれ同一であってもよく、異なっていてもよく、複数存在するＲｂから選ばれる２つが、互いに結合して環を形成してもよい。］
【０１７８】
式（ａ２−１）で表される化合物において、Ｙ４は、例えば、酸素原子、硫黄原子、ＮＨ、Ｃ（ＣＨ３）２が好ましい。
Ｒ７１〜Ｒ７８のいずれかがＬ１と単結合を形成することが好ましい。
【０１７９】
前記一般式（３０）で表される第二の化合物が、下記一般式（３１）で表される化合物であることが好ましい。
【０１８０】
【化８８】
2020061389.tif 000089
【０１８１】
［前記一般式（３１）中、
Ｘ１〜Ｘ３，Ｒ５，Ｒ６，Ｌ１及びｆは、前記一般式（３０）で定義した通りである。
Ｒ５９は、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、又は
−Ｐ（＝Ｏ）Ｒ１４Ｒ１５基を示す。
Ｒ１４及びＲ１５は、前記一般式（２）で定義した通りである。
ｇは、０〜４の整数であり、ｈは、０〜３の整数である。
ｇが２〜４の整数のとき、又はｈが２又は３のとき、複数のＲ５９は、互いに同一であるか、又は異なり、隣接するＲ５９同士は、互いに結合して環を形成するか、又は環を形成しない。］
【０１８２】
前記一般式（３０）で表される第二の化合物が、下記一般式（３２）で表される化合物であることも好ましい。
【０１８３】
【化８９】
2020061389.tif 000090
【０１８４】
［前記一般式（３２）中、
Ｘ１〜Ｘ３，Ｒ５，Ｒ６，Ｌ１及びｆは、前記一般式（３０）で定義した通りである。
Ｒ６１は、置換もしくは無置換の環形成原子数９〜３０の、窒素原子を含まない縮合ヘテアリール基である。］
【０１８５】
前記一般式式（３２）で表される化合物は、下記一般式（３３）で表される化合物であることが好ましい。
【０１８６】
【化９０】
2020061389.tif 000091
【０１８７】
［前記一般式（３３）中、
Ｘ１〜Ｘ３，Ｒ５，Ｒ６，Ｌ１及びｆは、前記一般式（３２）で定義した通りである。
Ｒ６２は、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、又は
−Ｐ（＝Ｏ）Ｒ１４Ｒ１５基を示す。
Ｒ１４及びＲ１５は、前記一般式（２）で定義した通りである。
ｃは、０〜４の整数であり、ｃが２〜４のとき、複数存在するＲ５２は互いに同一であるか、又は異なり、隣接するＲ５２が互いに結合して環を形成するか、又は環を形成しない。
Ｙ３は、酸素原子又は硫黄原子である。］
【０１８８】
Ｌ１は、下記一般式（２０Ｙ）で表される２価の連結基を含むことが好ましい。
【０１８９】
【化９１】
2020061389.tif 000092
【０１９０】
［前記一般式（２０Ｙ）中、
Ｘ４は、ＣＲ６５Ｒ６６、ＮＲ６７、酸素原子、又は硫黄原子である。
Ｒ６３は、
水素原子、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、又は
−Ｐ（＝Ｏ）Ｒ１４Ｒ１５基を示す。
Ｒ１４及びＲ１５は、前記一般式（２）で定義した通りである。
Ｒ６４及びＲ６５〜Ｒ６７は、それぞれ独立して、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。
ｇは、０〜４の整数であり、ｈは、０〜３の整数である。ｇが２〜４の整数のとき、又はｈが２又は３のとき、複数のＲ６３は、互いに同一であるか、又は異なり、隣接するＲ６３同士は、互いに結合して環を形成するか、又は環を形成しない。］
【０１９１】
第二の化合物は、下記一般式（３４）で表される化合物であることが好ましい。
【０１９２】
【化９２】
2020061389.tif 000093
【０１９３】
［前記一般式（３４）中、
Ｘ１〜Ｘ３，Ｒ５及びＲ６は、前記一般式（２）で定義した通りである。
Ｘ４は、ＣＲ６５Ｒ６６、ＮＲ６７、酸素原子、又は硫黄原子である。
Ｒ６３は、
水素原子、
ハロゲン原子、
置換もしくは無置換の炭素数１〜２５のアルキル基、
置換もしくは無置換の炭素数２〜２５のアルケニル基、
置換もしくは無置換の炭素数２〜２５のアルキニル基、
置換もしくは無置換の環形成炭素数３〜２５のシクロアルキル基、
置換もしくは無置換の炭素数１〜２５のアルコキシ基、
置換もしくは無置換の環形成炭素数６〜２４のアリール基、
置換もしくは無置換の環形成原子数３〜３０の複素環基、
置換もしくは無置換の環形成炭素数６〜２４のアリールオキシ基、
置換もしくは無置換の炭素数１〜２５のアルキルチオ基、
置換もしくは無置換の環形成炭素数６〜２４のアリールチオ基、
炭素数１〜２５のアルキル基及び環形成炭素数６〜２４のアリール基からなる群から選択される１以上の基で置換されたシリル基、
シアノ基、又は
−Ｐ（＝Ｏ）Ｒ１４Ｒ１５基を示す。
Ｒ１４及びＲ１５は、前記一般式（２）で定義した通りである。
Ｒ６４及びＲ６５〜Ｒ６７は、それぞれ独立して、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。
ｇは、０〜４の整数であり、ｈは、０〜３の整数である。ｇが２〜４の整数のとき、又はｈが２又は３のとき、複数のＲ６３は、互いに同一であるか、又は異なり、隣接するＲ６３同士は、互いに結合して環を形成するか、又は環を形成しない。］
【０１９４】
ｆが、０又は１であることが好ましい。
【０１９５】
Ｌ１は、下記一般式（２０Ｌ）で表される２価の連結基を含むことが好ましい。
【０１９６】
【化９３】
2020061389.tif 000094
【０１９７】
（前記一般式（２Ｌ）中、
Ａｒ２１は、置換もしくは無置換の環形成炭素数６〜２４のアリール環から誘導される３価の基、又は置換もしくは無置換の環形成原子数５〜３０のヘテロアリール環から誘導される３価の基である。
Ａｒ２２は、置換もしくは無置換の環形成炭素数６〜２４のアリール基、又は置換もしくは無置換の環形成原子数５〜３０のヘテロアリール基である。）
【０１９８】
前記一般式（２０）で表される第二の化合物は、下記一般式（２０Ｘ）で表されることも好ましい。
【０１９９】
【化９４】
2020061389.tif 000095
【０２００】
（前記一般式（２０Ｘ）中、
Ｘ１〜Ｘ３，Ｒ５及びＲ６は、前記一般式（２）で定義した通りである。
Ｂは、前記一般式（２０ａ）で表される基である。
Ａｒ２１は、置換もしくは無置換の環形成炭素数６〜２４のアリール環から誘導される３価の基、又は置換もしくは無置換の環形成原子数５〜３０のヘテロアリール環から誘導される３価の基である。
Ａｒ２２は、置換もしくは無置換の環形成炭素数６〜２４のアリール基、又は置換もしくは無置換の環形成原子数５〜３０のヘテロアリール基である。）
【０２０１】
前記一般式（２４）で表される第二の化合物は、下記一般式（３５）で表されることも好ましい。
【０２０２】
【化９５】
2020061389.tif 000096
【０２０３】
［前記一般式（３５）中、
Ｘ１〜Ｘ３，Ｒ５，Ｒ６，Ｒ５２及びｇは、前記一般式（２３）で定義した通りである。
Ａｒ２１及びＡｒ２２は、前記一般式（２０Ｌ）で定義した通りである。
ｈは、０〜３の整数であり、ｈが２又は３のとき、複数のＲ５２は、互いに同一であるか、又は異なる。複数のｈは、互いに同一であるか、又は異なる。
Ｒ５３は、
置換もしくは無置換の炭素数１〜２５のアルキル基、
置換もしくは無置換の環形成炭素数３〜２５のシクロアルキル基、
置換もしくは無置換の環形成炭素数６〜２４のアリール基、又は
置換もしくは無置換の環形成原子数３〜３０の複素環基を示す。］
【０２０４】
Ａｒ２１は、置換もしくは無置換の環形成炭素数６〜２４のアリール環から誘導される３価の基であることが好ましい。
Ａｒ２２は、置換もしくは無置換の環形成炭素数６〜２４のアリール基であることが好ましい。
【０２０５】
Ａｒ２１は、置換もしくは無置換の環形成炭素数６〜２４のアリール環から誘導される３価の基であり、かつ、Ａｒ２２は、置換もしくは無置換の環形成炭素数６〜２４のアリール基であることがより好ましい。
【０２０６】
本実施形態に係る第二の化合物の例を以下に示す。本発明における第二の化合物は、これらの具体例に限定されない。
【０２０７】
【化９６】
2020061389.tif 000097
【０２０８】
【化９７】
2020061389.tif 000098
【０２０９】
【化９８】
2020061389.tif 000099
【０２１０】
【化９９】
2020061389.tif 000100
【０２１１】
【化１００】
2020061389.tif 000101
【０２１２】
【化１０１】
2020061389.tif 000102
【０２１３】
【化１０２】
2020061389.tif 000103
【０２１４】
【化１０３】
2020061389.tif 000104
【０２１５】
【化１０４】
2020061389.tif 000105
【０２１６】
【化１０５】
2020061389.tif 000106
【０２１７】
【化１０６】
2020061389.tif 000107
【０２１８】
【化１０７】
2020061389.tif 000108
【０２１９】
【化１０８】
2020061389.tif 000109
【０２２０】
【化１０９】
2020061389.tif 000110
【０２２１】
【化１１０】
2020061389.tif 000111
【０２２２】
【化１１１】
2020061389.tif 000112
【０２２３】
【化１１２】
2020061389.tif 000113
【０２２４】
【化１１３】
2020061389.tif 000114
【０２２５】
【化１１４】
2020061389.tif 000115
【０２２６】
【化１１５】
2020061389.tif 000116
【０２２７】
【化１１６】
2020061389.tif 000117
【０２２８】
【化１１７】
2020061389.tif 000118
【０２２９】
【化１１８】
2020061389.tif 000119
【０２３０】
【化１１９】
2020061389.tif 000120
【０２３１】
【化１２０】
2020061389.tif 000121
【０２３２】
【化１２１】
2020061389.tif 000122
【０２３３】
【化１２２】
2020061389.tif 000123
【０２３４】
【化１２３】
2020061389.tif 000124
【０２３５】
【化１２４】
2020061389.tif 000125
【０２３６】
【化１２５】
2020061389.tif 000126
【０２３７】
【化１２６】
2020061389.tif 000127
【０２３８】
【化１２７】
2020061389.tif 000128
【０２３９】
【化１２８】
2020061389.tif 000129
【０２４０】
【化１２９】
2020061389.tif 000130
【０２４１】
【化１３０】
2020061389.tif 000131
【０２４２】
【化１３１】
2020061389.tif 000132
【０２４３】
【化１３２】
2020061389.tif 000133
【０２４４】
【化１３３】
2020061389.tif 000134
【０２４５】
【化１３４】
2020061389.tif 000135
【０２４６】
【化１３５】
2020061389.tif 000136
【０２４７】
【化１３６】
2020061389.tif 000137
【０２４８】
本実施形態の有機ＥＬ素子によれば、前記第一の化合物、及び前記第二の化合物を組み合わせて有機層に用いたことにより、有機ＥＬ素子が低電圧で駆動する。有機ＥＬ素子を低電圧で駆動させるという観点から、前記第一の化合物、及び前記第二の化合物が１つの発光層に含まれている態様が好ましい。
本実施形態の有機ＥＬ素子の内、ある一態様に係る有機ＥＬ素子よれば、低電圧で駆動するとともに、さらに、発光効率の向上及び長寿命化する。
【０２４９】
（配合比）
本発明の一実施形態では、第一の化合物と第二の化合物との配合比は特に限定されない。有機ＥＬ素子に求める効果に応じて、第一の化合物と第二の化合物との配合比を適宜決定すればよい。第一の化合物：第二の化合物で表される化合物の配合比（質量比）は、通常、１：９９〜９９：１の範囲内であり、１０：９０〜９０：１０の範囲内が好ましい。
【０２５０】
（発光材料）
本発明の一態様である有機ＥＬ素子は、前記発光層が、さらに発光材料を含有することが好ましい。
本発明の一実施形態では、前記発光層が発光材料として燐光発光材料を含有することが好ましい。前記燐光発光材料がイリジウム（Ｉｒ）、オスミウム（Ｏｓ）、及び白金（Ｐｔ）からなる群から選択されるいずれかの金属原子のオルトメタル化錯体であることが好ましい。好適な燐光発光材料については後述する。
【０２５１】
（層形成方法）
本発明の一態様である有機ＥＬ素子の各層の形成方法は、本明細書において特に限定される旨を言及した場合を除いて、形成方法は特に制限されない。各層の形成方法としては、乾式成膜法、及び湿式成膜法等の公知の方法を採用できる。乾式成膜法としては、真空蒸着法、スパッタリング法、プラズマ法、イオンプレーティング法等が挙げられる。湿式成膜法としては、スピンコーティング法、ディッピング法、フローコーティング法、インクジェット法等が挙げられる。
１つの発光層に２種の材料を含有させる方法としては、例えば、２つの蒸着源から材料それぞれを共蒸着する方法、及び事前に材料を混合して蒸着する方法等が挙げられる。
【０２５２】
（膜厚）
本発明の一態様である有機ＥＬ素子の各層の膜厚は、上記で特に言及した以外には制限されない。各層の膜厚は、適切な膜厚に設定する必要がある。膜厚が厚すぎると、一定の光出力を得るために大きな印加電圧が必要になり効率が悪くなるおそれがある。膜厚が薄すぎるとピンホール等が発生して、電界を印加しても充分な発光輝度が得られないおそれがある。通常、膜厚は、５ｎｍ〜１０μｍの範囲が適しており、１０ｎｍ〜０．２μｍの範囲がさらに好ましい。
【０２５３】
以下、有機ＥＬ素子の構成要素の材料等について説明する。
（基板）
基板は、発光素子の支持体として用いられる。基板としては、例えば、ガラス、石英、プラスチック等を用いることができる。また、可撓性基板を用いてもよい。可撓性基板とは、折り曲げることができる（フレキシブル）基板のことであり、例えば、ポリカーボネート、ポリ塩化ビニルからなるプラスチック基板等が挙げられる。
【０２５４】
（陽極）
基板上に形成される陽極には、仕事関数の大きい（具体的には４．０ｅＶ以上）金属、合金、電気伝導性化合物、及びこれらの混合物等を用いることが好ましい。具体的には、例えば、酸化インジウム−酸化スズ（ＩＴＯ：Ｉｎｄｉｕｍ  Ｔｉｎ  Ｏｘｉｄｅ）、珪素若しくは酸化珪素を含有した酸化インジウム−酸化スズ、酸化インジウム−酸化亜鉛、酸化タングステン、及び酸化亜鉛を含有した酸化インジウム、グラフェン等が挙げられる。この他、金（Ａｕ）、白金（Ｐｔ）、又は金属材料の窒化物（例えば、窒化チタン）等が挙げられる。
【０２５５】
（正孔注入層）
正孔注入層は、陽極から有機層に効率よく正孔を注入するために設けられる層である。正孔注入層に使用される物質としては、モリブデン酸化物、チタン酸化物、バナジウム酸化物、レニウム酸化物、ルテニウム酸化物、クロム酸化物、ジルコニウム酸化物、ハフニウム酸化物、タンタル酸化物、銀酸化物、タングステン酸化物、マンガン酸化物、芳香族アミン化合物、アクセプター性の化合物、又は高分子化合物（オリゴマー、デンドリマー、ポリマー等）等も使用できる。
正孔注入層に使用される物質としては、中でも、芳香族アミン誘導体、又はアクセプター性の化合物であることが好ましく、アクセプター性の化合物であることが更に好ましい。アクセプター性の化合物として、電子吸引基が置換された複素環誘導体、電子吸引基が置換されたキノン誘導体、アリールボラン誘導体、またはヘテロアリールボラン誘導体等が好適に用いられ、中でも、ヘキサシアノヘキサアザトリフェニレン、Ｆ４ＴＣＮＱ（２,３,５,６−テトラフルオロ−７,７,８,８−テトラシアノキノジメタン)、又は１,２,３−トリス[（シアノ）(４−シアノ−２,３,５,６−テトラフルオロフェニル)メチレン]シクロプロパン等が好ましく用いられる。
アクセプター性の化合物を含む層は、更にマトリクス材料を含有する形態であっても好ましい。マトリクス材料としては、有機ＥＬ用の材料を幅広く使用することができる。アクセプター性の化合物と共に使用するマトリクス材料として、ドナー性化合物を用いることが好ましく、芳香族アミン化合物を用いることが更に好ましい。
【０２５６】
（正孔輸送層）
正孔輸送層は、正孔輸送性の高い物質を含む層である。正孔輸送層には、芳香族アミン化合物、カルバゾール誘導体、アントラセン誘導体等を使用する事ができる。ポリ（Ｎ−ビニルカルバゾール）（略称：ＰＶＫ）やポリ（４−ビニルトリフェニルアミン）（略称：ＰＶＴＰＡ）等の高分子化合物を用いることもできる。但し、電子よりも正孔の輸送性の高い物質であれば、これら以外のものを用いてもよい。尚、正孔輸送性の高い物質を含む層は、単層のものだけでなく、上記物質からなる層が二層以上積層したものとしてもよい。正孔輸送材料は、好ましくは、下記一般式（Ｈ）で表される化合物である。
【０２５７】
【化１３７】
2020061389.tif 000138
【０２５８】
前記一般式（Ｈ）中、Ａｒ１〜Ａｒ３は、それぞれ独立に、置換もしくは無置換の環形成炭素数６〜５０のアリール基、置換もしくは無置換の環形成原子数５〜５０の複素環基または、置換もしくは無置換のアリール基と置換もしくは無置換の複素環基との組合せで構成される基を示す。アリール基としては、フェニル基、ビフェニル基、ターフェニル基、フルオレニル基、スピロビフルオレニル基、インデノフルオレニル基、ナフチル基、フェナントリル基、アントリル基、トリフェニレニル基等の置換基が好ましく、複素環基としては、ジベンゾフラニル基、ジベンゾチオフェニル基、カルバゾリル基等が好ましい。アリール基と複素環基との組合せで構成される基としては、ジベンゾフラン置換のアリール基、ジベンゾチオフェン置換のアリール基、カルバゾール置換のアリール基等が好ましい。これら置換基はさらに置換基を有していてもよく、好ましい置換基は後述の通りである。
好ましい１つの態様として、前記一般式（Ｈ）のＡｒ１〜Ａｒ３の少なくとも１つが、アリールアミノ基によって更に置換されている化合物であることが好ましく、ジアミン誘導体、トリアミン誘導体、又はテトラアミン誘導体であることも好ましい。ジアミン誘導体として、テトラアリール置換ベンジジン誘導体、及びＴＰＴＥ(４，４’−ビス［Ｎ−フェニル−Ｎ−［４’−ジフェニルアミノ−１,１’−ビフェニル−４−イル］アミノ]−１,１’−ビフェニル］等が好ましく用いられる。
燐光発光層に接する層に使用する正孔輸送材料は、三重項準位が高いことが好ましく、前記一般式（Ｈ）におけるＡｒ１〜Ａｒ３が、フルオレニル基、スピロフルオレニル基、フェニル基、ビフェニル基、フェナントリル基、トリフェニレニル基、ジベンゾフラニル基、ジベンゾチオフェニル基等の置換基、及びそれらの組合せで形成される基であることが好ましい。
【０２５９】
（発光層）
発光層は、発光性の高い物質を含む層であり、種々の材料を用いることができる。発光層は通常、発光性の高い発光材料（ドーパント材料）とそれを効率よく発光させるためのホスト材料とが含有されている。例えば、発光性の高い物質としては、蛍光を発光する蛍光性化合物や燐光を発光する燐光性化合物を用いることができる。蛍光性化合物は一重項励起状態から発光可能な化合物であり、燐光性化合物は三重項励起状態から発光可能な化合物である。蛍光性化合物を含む発光層は蛍光発光層と呼ばれ、燐光性化合物を含む発光層は燐光発光層と呼ばれている。
【０２６０】
蛍光発光層のドーパント材料として、蛍光発光性の化合物を幅広く用いることができる。蛍光発光層のドーパント材料としては、中でも、縮合多環芳香族誘導体、スチリルアミン誘導体、縮合環アミン誘導体、ホウ素含有化合物、ピロール誘導体、インドール誘導体、及びカルバゾール誘導体等が好ましい。蛍光発光層のドーパント材料としては、さらに好ましくは、縮合環アミン誘導体、及びホウ素含有化合物が挙げられる。縮合環アミン誘導体としては、例えば、ジアミノピレン誘導体、ジアミノクリセン誘導体、ジアミノアントラセン誘導体、ジアミノフルオレン誘導体、及びベンゾフロ骨格が１つ以上縮環したジアミノフルオレン誘導体などが挙げられる。ホウ素含有化合物としては、例えば、ピロメテン誘導体、及びトリフェニルボラン誘導体等が挙げられる。ここで誘導体とは、当該骨格を部分構造として含む化合物を示す言葉であり、更なる縮合環を形成する化合物、及び置換基同士で環を形成する化合物も含有する。例えば、縮合多環芳香族誘導体の場合は、縮合多環芳香族骨格を部分構造として含む化合物であり、当該縮合多環芳香族骨格にさらに縮合環を形成する化合物、及び当該縮合多環芳香族骨格の置換基同士で環を形成する化合物も含有する。
【０２６１】
蛍光発光層に用いるホスト材料としては、一般的な蛍光材料を使用することができる。蛍光発光層に用いるホスト材料としては、中でも、縮合多環芳香族誘導体を主骨格に持つ化合物であることが好ましく、特に好ましくは、アントラセン誘導体、ピレン誘導体、クリセン誘導体、及びナフタセン誘導体等が挙げられる。青色ホスト材料（青色蛍光発光性のドーパント材料と共に用いられるホスト材料）、及び緑色ホスト材料（緑色蛍光発光性のドーパント材料と共に用いられるホスト材料）として特に好適なホストは、下記一般式（Ｘ）で表されるアントラセン誘導体である。
【０２６２】
【化１３８】
2020061389.tif 000139
【０２６３】
前記一般式（Ｘ）において、ＡｒＸ１、及びＡｒＸ２は、それぞれ独立に、置換もしくは無置換の環形成炭素数６〜５０のアリール基、又は置換もしくは無置換の環形成原子数３〜５０の複素環基を示す。ＡｒＸ１、及びＡｒＸ２は、それぞれ独立に、置換もしくは無置換の環形成炭素数６〜３０のアリール基、又は環形成原子数５〜３０の複素環基を示すことが好ましい。
【０２６４】
燐光発光層に用いることができる燐光発光材料（ドーパント材料）として、イリジウム錯体、オスミウム錯体、及び白金錯体等の金属錯体が使用される。
イリジウム（Ｉｒ）、オスミウム（Ｏｓ）、及び白金（Ｐｔ）からなる群から選択される金属原子のオルトメタル化錯体である燐光発光材料は、下記式（α）で表される錯体であることが好ましい。
【０２６５】
【化１３９】
2020061389.tif 000140
【０２６６】
式（α）において、Ｍは、オスミウム、イリジウム及び白金からなる群から選ばれる少なくとも一つの金属を示し、ｎは、該金属の価数を示す。
環Ａ１は、置換もしくは無置換の環形成炭素数６〜２４のアリール基又は環形成原子数５〜３０のヘテロアリール基を表し、環Ａ２は、窒素をヘテロ環形成原子として含有する置換もしくは無置換の環形成原子数５〜３０のヘテロアリール基を表す。
【０２６７】
式（α）の環Ａ１における環形成炭素数６〜２４のアリール基としては、前述した一般式（１）におけるアリール基が挙げられる。
式（α）の環Ａ１及び環Ａ２における環形成原子数５〜３０のヘテロアリール基としては、前述した一般式（１）におけるヘテロアリール基が挙げられる。
式（α）の環Ａ１及び環Ａ２が有し得る置換基は、前述した一般式（１）における置換基と同じである。
さらに、式（α）で表される錯体は、下記式（Ｔ）又は（Ｕ）で表される錯体であることが好ましい。
【０２６８】
【化１４０】
2020061389.tif 000141
【０２６９】
式（Ｔ）において、Ｍは金属を表し、環Ｂ及び環Ｃは、各々独立に環形成原子数５若しくは６のアリール基又はヘテロアリール基を表す。
環Ａ−環Ｂは、アリール基又はヘテロアリール基の結合対を表し、環Ａの窒素原子及び環Ｂのｓｐ２混成原子を介して金属Ｍに配位する。
環Ａ−環Ｃは、アリール基又はヘテロアリール基の結合対を表す。
Ｒａ、Ｒｂ及びＲｃは、各々独立に、水素原子、置換もしくは無置換の炭素数１〜２５のアルキル基、置換もしくは無置換の炭素数１〜２５のアルコキシ基、置換もしくは無置換のアミノ基、置換もしくは無置換の炭素数２〜２５のアルケニル基、置換もしくは無置換の炭素数２〜２５のアルキニル基、置換もしくは無置換の炭素数７〜５０のアラルキル基、置換もしくは無置換の環形成炭素数６〜２４のアリール基、及び置換もしくは無置換の環形成原子数５〜３０のヘテロアリール基からなる群より選択されるいずれかを表し、Ｒａは、１つ以上４つ以下であり、Ｒｂは、１つ以上４つ以下であり、Ｒｃは、１つ以上４つ以下であり、Ｒａ、Ｒｂ及びＲｃの数は、各々独立である。
Ｘ１〜Ｘ９は、各々独立に、炭素原子又は窒素原子を表す。
Ｒｄ及びＲｅは、各々独立に、水素原子、置換もしくは無置換の炭素数１〜２５のアルキル基、置換もしくは無置換の炭素数１〜２５のアルコキシ基、置換もしくは無置換のアミノ基、置換もしくは無置換の炭素数２〜２５のアルケニル基、置換もしくは無置換の炭素数２〜２５のアルキニル基、置換もしくは無置換の炭素数７〜５０のアラルキル基、置換もしくは無置換の環形成炭素数６〜２４のアリール基、及び置換もしくは無置換の環形成原子数５〜３０のヘテロアリール基からなる群より選択されるいずれかを表し、環Ｃに結合するＲｃ、Ｒｄ及びＲｅの少なくとも１つは、水素原子ではない。
ｍは、金属Ｍの酸化状態を表し、ｎは、１以上である。Ｌ’は、モノアニオン性の二座配位子を表す。
【０２７０】
式（Ｔ）において、Ｍは、オスミウム、イリジウム、及び白金等が挙げられ、中でもイリジウムが好ましい。
環Ｂ及び環Ｃで表される環形成原子数５若しくは６のアリール基としては、前述した一般式（１）におけるアリール基が挙げられる。
環Ｂ及び環Ｃで表される環形成原子数５若しくは６のヘテロアリール基としては、前述した一般式（１）におけるヘテロアリール基が挙げられる。
Ｒ１、Ｒ２、Ｒａ、Ｒｂ及びＲｃで表される置換もしくは無置換の炭素数１〜２５のアルキル基、置換もしくは無置換の炭素数１〜２５のアルコキシ基、置換もしくは無置換の炭素数７〜５０のアラルキル基、置換もしくは無置換の環形成炭素数６〜２４のアリール基及び置換もしくは無置換の環形成原子数５〜３０のヘテロアリール基としては、それぞれ、前述したものと同様の基が挙げられる。
Ｒ１、Ｒ２、Ｒａ、Ｒｂ及びＲｃで表される置換もしくは無置換の炭素数２〜２５のアルケニル基、及び置換もしくは無置換の炭素数２〜２５のアルキニル基としては、それぞれ、前述したものと同様の基が挙げられる。
Ｌ’で表されるモノアニオン性の二座配位子としては、下記式（Ｌ’）で表わされる配位子が挙げられる。
【０２７１】
【化１４１】
2020061389.tif 000142
【０２７２】
式（Ｌ’）において、Ｘ４〜Ｘ９、Ｒａ、及びＲｂは、式（Ｔ）におけるＸ４〜Ｘ９、Ｒａ、及びＲｂと同義であり、好ましい態様も同様である。
Ｘ９から環Ｂより外側に伸びる実線と、環Ａの窒素原子から環Ａより外側に伸びる破線を介して、式（Ｌ’）で表わされる配位子は、式（Ｔ）で表される金属Ｍに配位する。
【０２７３】
【化１４２】
2020061389.tif 000143
【０２７４】
式（Ｕ）において、Ｘは、ＮＲ、酸素原子、硫黄原子、ＢＲ、及びセレン原子からなる群より選択されるいずれかを表し、Ｒは、水素原子又は置換もしくは無置換の炭素数１〜２５のアルキル基である。
Ｒ１、Ｒ２、Ｒ３及びＲ４は、各々独立に、水素原子、置換もしくは無置換の炭素数１〜２５のアルキル基、及び置換もしくは無置換の環形成炭素数６〜２４のアリール基からなる群より選択されるいずれかを表し、Ｒ１は、１つ以上４つ以下であり、Ｒ２は、１つ以上４つ以下であり、Ｒ３は、１つ以上４つ以下であり、Ｒ４は、１つ以上４つ以下であり、Ｒ１、Ｒ２、Ｒ３及びＲ４の数は、各々独立である。
【０２７５】
式（Ｕ）において、Ｒ、Ｒ１、Ｒ２、Ｒ３及びＲ４で表される炭素数１〜２５のアルキル基としては、前述した基が挙げられ、好ましい態様も同様である。
また、Ｒ１、Ｒ２、Ｒ３及びＲ４で表される環形成炭素数６〜２４のアリール基としては、前述した基が挙げられ、好ましい態様も同様である。
【０２７６】
式（Ｔ）又は（Ｕ）で表される錯体としては、以下の化合物が好適であるが、特にこれらに限定されるものではない。
【０２７７】
【化１４３】
2020061389.tif 000144
【０２７８】
【化１４４】
2020061389.tif 000145
【０２７９】
【化１４５】
2020061389.tif 000146
【０２８０】
【化１４６】
2020061389.tif 000147
【０２８１】
また、燐光発光材料として、下記式（β）で表されるイリジウム錯体も好ましい。
【０２８２】
【化１４７】
2020061389.tif 000148
【０２８３】
式（β）において、Ａ１〜Ａ８は炭素原子又は窒素原子を含み、Ａ１〜Ａ８の少なくとも１つは窒素原子であり、環ＢはＣ−Ｃ結合により環Ａに結合し、イリジウム（Ｉｒ）はＩｒ−Ｃ結合により環Ａに結合する。
式（β）において、Ａ１〜Ａ８の内、１つのみが窒素原子であることが好ましく、Ａ５〜Ａ８の内、１つのみが窒素原子であることがさらに好ましく、Ａ５が窒素原子であることが好ましい。式（β）において、Ａ１〜Ａ４の内、Ａ３及びＡ４が炭素原子であることが好ましい。式（β）において、Ａ５が窒素原子であり、Ａ１〜Ａ４、並びにＡ６〜Ａ８が炭素原子であることが好ましい。
Ａ６が、ＣＲ（Ｒが結合する炭素原子）であることが好ましく、Ｒは、置換もしくは無置換の炭素数１〜２５のアルキル、置換もしくは無置換の環形成炭素数３〜２５のシクロアルキル、及びこれらの組み合わせからなる群から選択される。Ｒは、好ましくは置換もしくは無置換の炭素数１〜２５のアルキル又は置換もしくは無置換の環形成炭素数３〜２５のシクロアルキルである。
式（β）において、ＸはＯ，Ｓ又はＳｅであり、Ｏが好ましい。
式（β）において、Ｒ１〜Ｒ４は、各々独立して、モノ−置換、ジ−置換、トリ−置換もしくはテトラ−置換、又は無置換であり、隣接するＲ１〜Ｒ４は互いに結合して環を形成してもよく、Ｒ１〜Ｒ４は、各々独立して、
水素、
重水素、
ハロゲン、
置換もしくは無置換の炭素数１〜２５のアルキル、
置換もしくは無置換の環形成炭素数３〜２５のシクロアルキル、
置換もしくは無置換の原子数２〜２５のヘテロアルキル、
置換もしくは無置換の炭素数７〜５０のアリールアルキル、
置換もしくは無置換の炭素数１〜２５のアルコキシ、
置換もしくは無置換の環形成炭素数６〜２４のアリールオキシ、
置換もしくは無置換のアミノ、
置換シリル、
置換もしくは無置換の炭素数２〜２５のアルケニル、
環形成炭素数３〜２５のシクロアルケニル、
原子数３〜２５のヘテロアルケニル、
炭素数２〜２５のアルキニル、
環形成炭素数６〜２４のアリール、
環形成原子数５〜３０のヘテロアリール、
アシル、
置換カルボニル、
カルボン酸、
エステル、
ニトリル、
イソニトリル、
スルファニル、
スルフィニル、
スルホニル、
ホスフィノ、及びこれらの組み合わせからなる群から選択され、置換シリルは、炭素数１〜２５のアルキル基及び環形成炭素数６〜２４のアリール基からなる群から選択される１以上の基で置換されたシリルであり、置換カルボニルは、炭素数１〜２５のアルキル基及び環形成炭素数６〜２４のアリール基からなる群から選択される１以上の基で置換されたカルボニルである。式（β）において、Ｒ１〜Ｒ４は、各々独立して水素、重水素、炭素数１〜２５のアルキル及びこれらの組み合わせからなる群から選択することが好ましい。Ｒ２及びＲ３の少なくともいずれかが炭素数１〜２５のアルキル基であることが好ましく、当該アルキル基が重水素化されているか、もしくは部分的に重水素化されていることがさらに好ましい。
式（β）において、ｎは１〜３の整数であり、１であることが好ましい。
【０２８４】
式（β）で表されるイリジウム錯体の具体例を以下に示すが、これらに限定されるものではない。
【０２８５】
【化１４８】
2020061389.tif 000149
【０２８６】
【化１４９】
2020061389.tif 000150
【０２８７】
【化１５０】
2020061389.tif 000151
【０２８８】
【化１５１】
2020061389.tif 000152
【０２８９】
【化１５２】
2020061389.tif 000153
【０２９０】
【化１５３】
2020061389.tif 000154
【０２９１】
式（α）で表される錯体として、式（Ｔ）又は（Ｕ）で表される錯体以外に、下記式（Ｖ）、（Ｘ）、（Ｙ）又は（Ｚ）で表される錯体を用いることもできる。
【０２９２】
【化１５４】
2020061389.tif 000155
【０２９３】
式（Ｖ）、（Ｘ）、（Ｙ）又は（Ｚ）において、Ｒ５０〜Ｒ５４は、各々独立に、水素原子又は置換基であり、ｋは１〜４の整数であり、ｌは１〜４の整数であり、ｍは１〜２の整数である。Ｍは、Ｉｒ、Ｏｓ、又はＰｔである。
Ｒ５０〜Ｒ５４の示す置換基としては、前述した置換基と同様のものが挙げられる。
式（Ｖ）は下記式（Ｖ−１）で表されることが好ましく、式（Ｘ）は下記式（Ｘ−１）又は式（Ｘ−２）で表されることが好ましい。下記式（Ｖ−１）、（Ｘ−１）、及び（Ｘ−２）において、Ｒ５０、ｋ及びＭは、上記の、Ｒ５０、ｋ及びＭと同じである。
【０２９４】
【化１５５】
2020061389.tif 000156
【０２９５】
式（Ｖ）、（Ｘ）、（Ｙ）又は（Ｚ）で表される錯体の具体例を、以下に示すが、特にこれらに限定されるものではない。
【０２９６】
【化１５６】
2020061389.tif 000157
【０２９７】
【化１５７】
2020061389.tif 000158
【０２９８】
【化１５８】
2020061389.tif 000159
【０２９９】
【化１５９】
2020061389.tif 000160
【０３００】
【化１６０】
2020061389.tif 000161
【０３０１】
【化１６１】
2020061389.tif 000162
【０３０２】
【化１６２】
2020061389.tif 000163
【０３０３】
（発光層のホスト材料）
燐光発光層に用いるホスト材料としては、燐光ドーパントよりも高い三重項準位を持つ材料であることが好ましく、一般的な芳香族誘導体、複素環誘導体、金属錯体等の燐光ホスト材料を使用することができる。燐光発光層に用いるホスト材料としては、中でも芳香族誘導体、及び複素環誘導体が好ましく、芳香族誘導体としては、例えば、ナフタレン誘導体、トリフェニレン誘導体、フェナントレン誘導体、及びフルオランテン誘導体等が挙げられ、複素環誘導体としては、例えば、インドール誘導体、カルバゾール誘導体、ピリジン誘導体、ピリミジン誘導体、トリアジン誘導体、キノリン誘導体、イソキノリン誘導体、キナゾリン誘導体、ジベンゾフラン誘導体、及びジベンゾチエニル誘導体等が挙げられる。ここで、誘導体とは前述した通りの定義である。
燐光発光層に用いるホスト材料の好ましい一つの形態として、本発明の一実施形態に係る組成物が挙げられる。
【０３０４】
（電子輸送層）
電子輸送層は、電子輸送性の高い物質を含む層である。
有機ＥＬ素子の性能向上のために、電子輸送層と発光層との間に１つ以上の層を設けることもできる。この層は第２電子輸送層、正孔障壁層、又は三重項ブロック層などと呼ばれる。正孔障壁性を高めるためには、ＨＯＭＯ準位が深い材料を用いることが好ましい。三重項ブロック性を高めるためには、三重項準位が高い材料を用いることが好ましい。
電子輸送層には、アルミニウム錯体、ベリリウム錯体、及び亜鉛錯体等の金属錯体、イミダゾール誘導体、ベンゾイミダゾール誘導体、アジン誘導体、カルバゾール誘導体、及びフェナントロリン誘導体等の複素環化合物、縮合芳香族炭化水素誘導体、並びに高分子化合物を使用することができる。好ましくは、イミダゾール誘導体（例えばベンズイミダゾール誘導体、イミダゾピリジン誘導体、ベンズイミダゾフェナントリジン誘導体）、アジン誘導体（例えば、ピリミジン誘導体、トリアジン誘導体、キノリン誘導体、イソキノリン誘導体、フェナントロリン誘導体が挙げられ、これら複素環はホスフィンオキサイド系の置換基で置換されていてもよい。）、及び芳香族炭化水素誘導体（例えば、アントラセン誘導体、フルオランテン誘導体が挙げられる）である。
電子輸送層、正孔障壁層、又は三重項ブロック層に含まれる材料の好ましい一つの形態として、本発明の一実施形態に係る組成物を用いることができる。
好ましい一つの形態として、電子輸送層は、アルカリ金属（ＬｉやＣｓ等）、アルカリ土類金属（Ｍｇ等）、および、これらを含む合金等、アルカリ金属の誘導体（例えば、リチウムキノリネート錯体）、並びにアルカリ土類金属の誘導体からなる群から選択される少なくとも一種を含有していてもよい。電子輸送層がアルカリ金属、アルカリ土類金属およびそれら合金の少なくともいずれかを含有する場合、電子輸送層中の含有比率は、好ましくは０．１〜５０質量％、より好ましくは０．１〜２０質量％、更に好ましくは１〜１０質量％であり、電子輸送層がアルカリ金属の誘導体及びアルカリ土類金属の誘導体の少なくともいずれかを含有する場合、電子輸送層中の含有比率は、好ましくは、１〜９９質量％、より好ましくは１０〜９０質量％である。
【０３０５】
（電子注入層）
電子注入層は、電子注入性の高い物質を含む層である。電子注入層には、リチウム（Ｌｉ）、フッ化リチウム（ＬｉＦ）、フッ化セシウム（ＣｓＦ）、フッ化カルシウム（ＣａＦ２）、リチウム酸化物（ＬｉＯｘ）等のようなアルカリ金属、アルカリ土類金属、又はこれらを含む合金等、アルカリ金属の誘導体（例えば、リチウムキノリネート錯体）、並びにアルカリ土類金属の誘導体を用いることができる。
【０３０６】
（陰極）
陰極には、仕事関数の小さい（具体的には３．８ｅＶ以下）金属、合金、電気伝導性化合物、及びこれらの混合物等を用いることが好ましい。このような陰極材料の具体例としては、元素周期表の第１族又は第２族に属する元素、即ちリチウム（Ｌｉ）やセシウム（Ｃｓ）等のアルカリ金属、及びマグネシウム（Ｍｇ）等のアルカリ土類金属、及びこれらを含む合金（例えば、ＭｇＡｇ、ＡｌＬｉ）等の希土類金属及びこれらを含む合金等が挙げられる。
【０３０７】
本明細書において、水素原子とは、中性子数が異なる同位体、即ち、軽水素（protium）、重水素（deuterium）、三重水素（tritium）、を包含する。
【０３０８】
本明細書において、環形成炭素数とは、原子が環状に結合した構造の化合物（例えば、単環化合物、縮合環化合物、架橋化合物、炭素環化合物、複素環化合物）の当該環自体を構成する原子のうちの炭素原子の数を表す。当該環が置換基によって置換される場合、置換基に含まれる炭素は環形成炭素数には含まない。以下で記載される「環形成炭素数」については、特筆しない限り同様とする。例えば、ベンゼン環は環形成炭素数が６であり、ナフタレン環は環形成炭素数が１０であり、ピリジニル基は環形成炭素数が５であり、フラニル基は環形成炭素数４である。また、ベンゼン環やナフタレン環に置換基として例えばアルキル基が置換している場合、当該アルキル基の炭素数は、環形成炭素数の数に含めない。また、フルオレン環に置換基として例えばフルオレン環が結合している場合（スピロフルオレン環を含む）、置換基としてのフルオレン環の炭素数は環形成炭素数の数に含めない。
【０３０９】
本明細書において、環形成原子数とは、原子が環状に結合した構造（例えば単環、縮合環、環集合）の化合物（例えば単環化合物、縮合環化合物、架橋化合物、炭素環化合物、複素環化合物）の当該環自体を構成する原子の数を表す。環を構成しない原子や、当該環が置換基によって置換される場合の置換基に含まれる原子は環形成原子数には含まない。以下で記載される「環形成原子数」については、特筆しない限り同様とする。例えば、ピリジン環は環形成原子数が６であり、キナゾリン環は環形成原子数が１０であり、フラン環の環形成原子数が５である。ピリジン環やキナゾリン環の炭素原子にそれぞれ結合している水素原子や置換基を構成する原子については、環形成原子数の数に含めない。また、フルオレン環に置換基として例えばフルオレン環が結合している場合（スピロフルオレン環を含む）、置換基としてのフルオレン環の原子数は環形成原子数の数に含めない。
【０３１０】
本明細書において、「置換もしくは無置換の炭素数ＸＸ〜ＹＹのＺＺ基」という表現における「炭素数ＸＸ〜ＹＹ」は、ＺＺ基が無置換である場合の炭素数を表すものであり、置換されている場合の置換基の炭素数は含めない。
【０３１１】
本明細書において、「置換もしくは無置換の原子数ＸＸ〜ＹＹのＺＺ基」という表現における「原子数ＸＸ〜ＹＹ」は、ＺＺ基が無置換である場合の原子数を表すものであり、置換されている場合の置換基の原子数は含めない。
【０３１２】
本明細書において、「置換もしくは無置換の」という場合における「無置換」とは前記置換基で置換されておらず、水素原子が結合していることを意味する。
【０３１３】
本明細書における式中の各基、及び前記「置換もしくは無置換」という記載における置換基の具体例について説明する。
【０３１４】
アルキル基の例としては、メチル基、エチル基、ｎ−プロピル基、イソプロピル基、ｎ−ブチル基、イソブチル基、ｓ−ブチル基、ｔ−ブチル基、ペンチル基（異性体基を含む）、ヘキシル基（異性体基を含む）、ヘプチル基（異性体基を含む）、オクチル基（異性体基を含む）、ノニル基（異性体基を含む）、デシル基（異性体基を含む）、ウンデシル基（異性体基を含む）、及びドデシル基（異性体基を含む）などが挙げられる。これらの中でも、メチル基、エチル基、ｎ−プロピル基、イソプロピル基、ｎ−ブチル基、イソブチル基、ｓ−ブチル基、ｔ−ブチル基及びペンチル基（いずれも異性体基を含む）が好ましく、メチル基、エチル基、ｎ−プロピル基、イソプロピル基、ｎ−ブチル基、イソブチル基、ｓ−ブチル基及びｔ−ブチル基がより好ましく、メチル基、エチル基、イソプロピル基及びｔ−ブチル基が特に好ましい。
【０３１５】
アルキル基の炭素数は、１〜２５であり、好ましくは１〜１０である。
【０３１６】
アルキル基がハロゲン原子で置換されたハロゲン化アルキル基としては、例えば、上記炭素数１〜２５のアルキル基が１以上のハロゲン原子、好ましくはフッ素原子で置換された基が挙げられる。
本明細書における炭素数１〜２５のハロゲン化アルキル基としては、具体的には、フルオロメチル基、ジフルオロメチル基、トリフルオロメチル基、フルオロエチル基、トリフルオロメチルメチル基、トリフルオロエチル基、ペンタフルオロエチル基等が挙げられる。
【０３１７】
アルケニル基は、上記アルキル基中に二重結合を有する基であり、アルケニル基の炭素数は、２〜２５であり、好ましくは２〜１０である。より好ましくはビニル基である。
【０３１８】
アルキニル基は、上記アルキル基中に三重結合を有する基であり、アルキニル基の炭素数は、２〜２５であり、好ましくは２〜１０である。より好ましくはエチニル基である。
【０３１９】
シクロアルキル基の例としては、シクロプロピル基、シクロブチル基、シクロペンチル基、シクロヘキシル基、シクロヘプチル基、シクロオクチル基、アダマンチル基などが挙げられる。これらの中でも、シクロペンチル基、シクロヘキシル基が好ましい。
シクロアルキル基の環形成炭素数は、３〜２５であり、好ましくは３〜１０であり、より好ましくは３〜８であり、さらに好ましくは３〜６である。
【０３２０】
アルコキシ基は、−ＯＹ１０で表される基であり、Ｙ１０の例としては、前記アルキル基及び前記シクロアルキル基として挙げたものと同様のものが挙げられる。アルコキシ基の炭素数は、好ましくは１〜２５であり、より好ましくは１〜１０である。
【０３２１】
アルキルチオ基は、−ＳＹ１０で表される基であり、Ｙ１０の例としては、前記アルキル基及び前記シクロアルキル基として挙げたものと同様のものが挙げられる。
アルキルチオ基の炭素数は、１〜２５であり、好ましくは１〜１０である。
【０３２２】
ハロゲン原子としては、フッ素、塩素、臭素、ヨウ素等が挙げられ、好ましくはフッ素原子である。
【０３２３】
アリール基の例としては、フェニル基、ビフェニリル基、ターフェニリル基、ナフチル基、アセナフチレニル基、アントリル基、ベンゾアントリル基、アセアントリル基、フェナントリル基、ベンゾ［ｃ］フェナントリル基、フェナレニル基、フルオレニル基、ピセニル基、ペンタフェニル基、ピレニル基、クリセニル基、ベンゾ［ｇ］クリセニル基、ｓ−インダセニル基、ａｓ−インダセニル基、フルオランテニル基、ベンゾ［ｋ］フルオランテニル基、トリフェニレニル基、ベンゾ［ｂ］トリフェニレニル基及びペリレニル基などが挙げられる。これらの中でも、フェニル基、ビフェニリル基、ターフェニリル基、ナフチル基、フェナントリル基、トリフェニレニル基、フルオランテニル基、フルオレニル基が好ましく、フェニル基、ビフェニリル基、ターフェニリル基がより好ましく、フェニル基がさらに好ましい。
アリール基の環形成炭素数は、６〜３０であり、好ましくは６〜２４であり、より好ましくは６〜２０であり、さらに好ましくは６〜１８である。
【０３２４】
アリーレン基は、前記アリール基からさらに１つの水素原子又は置換基が除去された２価の基Ｙ２１である。
【０３２５】
アラルキル基は、−Ｙ１１−Ｙ２０と表される。Ｙ１１の例としては、前記アルキル基及び前記シクロアルキル基として挙げたものからさらに１つの水素原子又は置換基が除去された２価の基（アルキレン基又はシクロアルキレン基）である。Ｙ２０の例としては、前記アリール基が挙げられる。
【０３２６】
アリールオキシ基は、−ＯＹ２０と表され、Ｙ２０の例としては前記アリール基として挙げたものと同様のものが挙げられる。
ヘテロアリールオキシ基は、−ＯＹ３０と表され、Ｙ３０の例としては前記ヘテロアリール基として挙げたものと同様のものが挙げられる。
【０３２７】
アリールチオ基は、−ＳＹ２０と表され、Ｙ２０の例としては前記アリール基として挙げたものと同様のものが挙げられる。
ヘテロアリールチオ基は、−ＳＹ３０と表され、Ｙ３０の例としては前記ヘテロアリール基として挙げたものと同様のものが挙げられる。
【０３２８】
アリールカルボニルオキシ基は、−Ｏ−（Ｃ＝Ｏ）−Ｙ２０と表され、Ｙ２０の例としては前記アリール基として挙げたものと同様のものが挙げられる。
【０３２９】
アルキル基及びアリール基から選ばれる置換基を有する置換カルボニル基は、−（Ｃ＝Ｏ）−Ｙ１０又は−（Ｃ＝Ｏ）−Ｙ２０と表され、Ｙ１０の例としては、前記アルキル基及び前記シクロアルキル基として挙げたものと同様のものが挙げられ、Ｙ２０の例としては前記アリール基として挙げたものと同様のものが挙げられる。
【０３３０】
複素環基は、芳香族性を有しない複素環基と、芳香族性を有する芳香族複素環基（１価であればヘテロアリール基、２価であればヘテロアリーレン基という）とを含む。
【０３３１】
芳香族性を有しない複素環基としては、窒素原子、酸素原子もしくは硫黄原子を含む、環形成原子数３〜３０、好ましくは３〜２０の環基が挙げられる。芳香族性を有しない複素環の具体例としては、アジリジン、オキシラン、チイラン、アゼチジン、オキセタン、トリメチレンスルフィド、ピロリジン、テトラヒドロフラン、テトラヒドロチオフェン、ピペリジン、テトラヒドロピラン、テトラヒドロチオピラン等が挙げられる。
【０３３２】
複素環基としては、窒素原子、酸素原子、硫黄原子、リン原子、硫黄原子等のヘテロ原子を含む環状基が挙げられ、環形成原子として、窒素原子、酸素原子又は硫黄原子からなる群から選ばれる原子を含有することが好ましい。複素環基としては、芳香族性を有するヘテロアリール基が好ましい。ヘテロアリール基の例としては、ピロリル基、フリル基、チエニル基、ピリジル基、イミダゾピリジル基、ピリダジニル基、ピリミジニル基、ピラジニル基、トリアジニル基、イミダゾリル基、オキサゾリル基、チアゾリル基、ピラゾリル基、イソオキサゾリル基、イソチアゾリル基、オキサジアゾリル基、チアジアゾリル基、トリアゾリル基、テトラゾリル基、インドリル基、イソインドリル基、ベンゾフラニル基、イソベンゾフラニル基、ベンゾチオフェニル基、イソベンゾチオフェニル基、インドリジニル基、キノリジニル基、キノリル基、イソキノリル基、シンノリル基、フタラジニル基、キナゾリニル基、キノキサリニル基、ベンズイミダゾリル基、ベンズオキサゾリル基、ベンズチアゾリル基、インダゾリル基、ベンズイソキサゾリル基、ベンズイソチアゾリル基、ジベンゾフラニル基、ジベンゾチオフェニル基、カルバゾリル基、９位にアリール基又は複素環基が置換したカルバゾリル基、フェナントリジニル基、アクリジニル基、フェナントロリニル基、フェナジニル基、フェノチアジニル基、フェノキサジニル基及びキサンテニル基などが挙げられる。これらの中でも、ピリジル基、イミダゾピリジル基、ピリダジニル基、ピリミジニル基、ピラジニル基、トリアジニル基、ベンズイミダゾリル基、ジベンゾフラニル基、ジベンゾチオフェニル基、カルバゾリル基、９位にアリール基又は複素環基が置換したカルバゾリル基、フェナントロリニル基、キナゾリニル基が好ましい。
【０３３３】
複素環基の環形成原子数は、３〜３０であり、好ましくは５〜２４であり、より好ましくは５〜１８である。
ヘテロアリール基の環形成原子数は、５〜３０であり、好ましくは５〜２４であり、より好ましくは５〜１８である。
ヘテロアリール基の炭素原子以外の環形成原子としては、窒素原子、酸素原子又は硫黄原子が好ましい。
【０３３４】
ヘテロアリーレン基は、前記ヘテロアリール基からさらに１つの水素原子又は置換基が除去された２価の基Ｙ３１である。
【０３３５】
また、本明細書において、複素環基は、例えば、下記一般式（ＸＹ−１）〜（ＸＹ−１８）で表される部分構造から誘導される基であってもよい。
【０３３６】
【化１６３】
2020061389.tif 000164
【０３３７】
【化１６４】
2020061389.tif 000165
【０３３８】
【化１６５】
2020061389.tif 000166
【０３３９】
前記一般式（ＸＹ−１）〜（ＸＹ−１８）中、ＸＡ及びＹＡは、それぞれ独立に、ヘテロ原子であり、酸素原子、硫黄原子、セレン原子、ケイ素原子、またはゲルマニウム原子であることが好ましい。前記一般式（ＸＹ−１）〜（ＸＹ−１８）で表される部分構造は、任意の位置で結合手を有して複素環基となり、この複素環基は、置換基を有していてもよい。
【０３４０】
また、本明細書において、置換または無置換のカルバゾリル基としては、例えば、下記式で表されるような、カルバゾール環に対してさらに環が縮合した基も含み得る。このような基も置換基を有していてもよい。また、結合手の位置も適宜変更され得る。
【０３４１】
【化１６６】
2020061389.tif 000167
【０３４２】
アルキル基及びアリール基から選ばれる置換基を有するモノ置換アミノ基は、−ＮＨ（Ｙ１０）又は−ＮＨ（Ｙ２０）で表され、Ｙ１０及びＹ２０は上記の通りである。
アルキル基及びアリール基から選ばれる置換基を有するジ置換アミノ基は、−Ｎ（Ｙ１０）２、−Ｎ（Ｙ２０）２又は−Ｎ（Ｙ１０）（Ｙ２０）で表され、Ｙ１０及びＹ２０は上記の通りである。Ｙ１０又はＹ２０が２つある場合は、互いに同一であっても、異なっていてもよい。
【０３４３】
アルキル基及びアリール基から選ばれる置換基を有するモノ置換シリル基は、−ＳｉＨ２（Ｙ１０）又は−ＳｉＨ２（Ｙ２０）で表される。
アルキル基及びアリール基から選ばれる置換基を有するジ置換シリル基は、−ＳｉＨ（Ｙ１０）２、−ＳｉＨ（Ｙ２０）２又は−ＳｉＨ（Ｙ１０）（Ｙ２０）で表される。
アルキル基及びアリール基から選ばれる置換基を有するトリ置換シリル基は、−Ｓｉ（Ｙ１０）３、−Ｓｉ（Ｙ２０）３、−Ｓｉ（Ｙ１０）２（Ｙ２０）又は−Ｓｉ（Ｙ１０）（Ｙ２０）２で表される。Ｙ１０及びＹ２０は前記の通りであり、Ｙ１０又はＹ２０がそれぞれ複数存在する場合は、互いに同一であっても、異なっていてもよい。
【０３４４】
アルキル基及びアリール基から選ばれる置換基を有する置換スルホニル基は、−Ｓ（＝Ｏ）２−Ｙ１０又は−Ｓ（＝Ｏ）２−Ｙ２０で表され、Ｙ１０及びＹ２０は前記の通りである。
【０３４５】
アルキル基及びアリール基から選ばれる置換基を有するジ置換ホスフォリル基は、−Ｏ−Ｐ（＝Ｏ）（Ｙ１０）２、−Ｏ−Ｐ（＝Ｏ）（Ｙ２０）２又は−Ｏ−Ｐ（＝Ｏ）（Ｙ１０）（Ｙ２０）で表される。Ｙ１０及びＹ２０は前記の通りであり、Ｙ１０又はＹ２０がそれぞれ２つ存在する場合は、互いに同一であっても、異なっていてもよい。
【０３４６】
アルキル基を有するアルキルスルホニルオキシ基は、−Ｏ−Ｓ（＝Ｏ）２（Ｙ１０）で表され、Ｙ１０は前記の通りである。
【０３４７】
アリール基から選ばれる置換基を有するアリールスルホニルオキシ基は、−Ｏ−Ｓ（＝Ｏ）２（Ｙ２０）で表され、Ｙ２０は前記の通りである。
【０３４８】
本明細書において、「置換または無置換の」という場合における置換基としては、環形成炭素数６〜３０のアリール基、環形成原子数５〜３０のヘテロアリール基、炭素数１〜２５のアルキル基（直鎖または分岐鎖のアルキル基）、環形成炭素数３〜２５のシクロアルキル基、炭素数１〜２５のハロゲン化アルキル基、炭素数３〜２５のアルキルシリル基、環形成炭素数６〜３０のアリールシリル基、炭素数１〜２５のアルコキシ基、環形成炭素数６〜３０のアリールオキシ基、環形成原子数５〜３０のヘテロアリールオキシ基、置換アミノ基、炭素数１〜２５のアルキルチオ基、環形成炭素数６〜３０のアリールチオ基、環形成原子数５〜３０のヘテロアリールチオ基、炭素数７〜３０のアラルキル基、炭素数５〜３０のヘテロアリール基が置換されたアルキル基、炭素数２〜３０のアルケニル基、炭素数２〜３０のアルキニル基、炭素数６〜３０のアリール基または原子数５〜３０の複素環基が置換されたホスホリル基、炭素数６〜３０のアリール基または原子数５〜３０の複素環基が置換されたボリル基、ハロゲン原子、シアノ基、ヒドロキシル基、ニトロ基、及びカルボキシ基からなる群から選択される少なくとも一種の基が挙げられる。
【０３４９】
本明細書において、「置換または無置換の」という場合における置換基としては、環形成炭素数６〜３０のアリール基、環形成原子数５〜３０のヘテロアリール基、炭素数１〜２５のアルキル基（直鎖または分岐鎖のアルキル基）、炭素数３〜２５のアルキルシリル基、環形成炭素数６〜３０のアリールシリル基、及びシアノ基からなる群から選択される少なくとも一種の基が好ましく、さらには、各置換基の説明において好ましいとした具体的な置換基が好ましい。
【０３５０】
本明細書において、「置換または無置換の」という場合における置換基は、環形成炭素数６〜３０のアリール基、環形成原子数５〜３０のヘテロアリール基、炭素数１〜２５のアルキル基（直鎖または分岐鎖のアルキル基）、炭素数３〜２５のシクロアルキル基、炭素数３〜２５のアルキルシリル基、環形成炭素数６〜３０のアリールシリル基、炭素数１〜２５のアルコキシ基、炭素数５〜３０のアリールオキシ基、置換アミノ基、炭素数１〜２５のアルキルチオ基、環形成炭素数６〜３０のアリールチオ基、炭素数７〜３０のアラルキル基、炭素数２〜３０のアルケニル基、炭素数２〜３０のアルキニル基、ハロゲン原子、シアノ基、ヒドロキシル基、ニトロ基、及びカルボキシ基からなる群から選択される少なくとも一種の基によってさらに置換されてもよい。また、これらの置換基は複数が互いに結合して環を形成してもよい。
【０３５１】
本明細書において、「置換または無置換の」という場合における置換基に、さらに置換する置換基としては、環形成炭素数６〜３０のアリール基、環形成原子数５〜３０のヘテロアリール基、炭素数１〜２５のアルキル基（直鎖または分岐鎖のアルキル基）、ハロゲン原子、及びシアノ基からなる群から選択される少なくとも一種の基であることが好ましく、各置換基の説明において好ましいとした具体的な置換基から選択される少なくとも一種の基であることがさらに好ましい。
【０３５２】
（電子機器）
本発明の一態様である電子機器は、前記本発明の一態様である有機エレクトロルミネッセンス素子を搭載している。
本発明の一態様である有機エレクトロルミネッセンス素子は、様々な電子機器に使用できる。例えば本発明の一態様である有機エレクトロルミネッセンス素子は、平面発光体、バックライト、計器類等の光源、表示板、及び標識灯等に利用できる。平面発光体としては、壁掛けテレビのフラットパネルディスプレイ等が挙げられる。バックライトとしては、複写機、プリンター、及び液晶ディスプレイ等のバックライトが挙げられる。
また、本発明の化合物は、有機ＥＬ素子だけでなく、電子写真感光体、光電変換素子、太陽電池、イメージセンサー等の分野においても使用できる。
【０３５３】
〔実施形態の変形〕
なお、本発明は、上述の実施形態に限定されず、本発明の目的を達成できる範囲での変更、改良等は、本発明に含まれる。
【０３５４】
前記実施形態では、発光層に第一の化合物、及び第二の化合物が含まれている態様を例に挙げて説明した。他の態様としては、例えば、発光層以外の有機層のうちの１層に第一の化合物、及び第二の化合物が含まれている態様の有機ＥＬ素子が挙げられる。
【０３５５】
例えば、発光層は、１層に限られず、複数の発光層が積層されていてもよい。有機ＥＬ素子が複数の発光層を有する場合、少なくとも１つの発光層が上記実施形態で説明した条件を満たしていればよい。例えば、その他の発光層が、蛍光発光型の発光層であっても、三重項励起状態から直接基底状態への電子遷移による発光を利用した燐光発光型の発光層であってもよい。
また、有機ＥＬ素子が複数の発光層を有する場合、これらの発光層が互いに隣接して設けられていてもよいし、中間層を介して複数の発光ユニットが積層された、いわゆるタンデム型の有機ＥＬ素子であってもよい。
【０３５６】
また、例えば、発光層の陽極側、及び陰極側の少なくとも一方に障壁層を隣接させて設けてもよい。障壁層は、発光層に接して配置され、正孔、電子、及び励起子の少なくともいずれかを阻止することが好ましい。
例えば、発光層の陰極側で接して障壁層が配置された場合、当該障壁層は、電子を輸送し、かつ正孔が当該障壁層よりも陰極側の層（例えば、電子輸送層）に到達することを阻止する。有機ＥＬ素子が、電子輸送層を含む場合は、発光層と電子輸送層との間に当該障壁層を含むことが好ましい。
また、発光層の陽極側で接して障壁層が配置された場合、当該障壁層は、正孔を輸送し、かつ電子が当該障壁層よりも陽極側の層（例えば、正孔輸送層）に到達することを阻止する。有機ＥＬ素子が、正孔輸送層を含む場合は、発光層と正孔輸送層との間に当該障壁層を含むことが好ましい。
また、励起エネルギーが発光層からその周辺層に漏れ出さないように、障壁層を発光層に隣接させて設けてもよい。発光層で生成した励起子が、当該障壁層よりも電極側の層（例えば、電子輸送層や正孔輸送層）に移動することを阻止する。
発光層と障壁層とは接合していることが好ましい。
【０３５７】
その他、本発明の実施における具体的な構造、及び形状等は、本発明の目的を達成できる範囲で他の構造等としてもよい。
【実施例】
【０３５８】
以下、本発明に係る実施例を説明する。本発明はこれらの実施例によって何ら限定されない。
【０３５９】
＜化合物＞
有機ＥＬ素子の製造に用いた化合物を以下に示す。
【０３６０】
【化１６７】
2020061389.tif 000168
【０３６１】
【化１６８】
2020061389.tif 000169
【０３６２】
【化１６９】
2020061389.tif 000170
【０３６３】
【化１７０】
2020061389.tif 000171
【０３６４】
【化１７１】
2020061389.tif 000172
【０３６５】
【化１７２】
2020061389.tif 000173
【０３６６】
【化１７３】
2020061389.tif 000174
【０３６７】
【化１７４】
2020061389.tif 000175
【０３６８】
【化１７５】
2020061389.tif 000176
【０３６９】
【化１７６】
2020061389.tif 000177
【０３７０】
【化１７７】
2020061389.tif 000178
【０３７１】
【化１７８】
2020061389.tif 000179
【０３７２】
【化１７９】
2020061389.tif 000180
【０３７３】
＜合成実施例＞
【０３７４】
（合成実施例１）
化合物ＰＧＨ−Ｎ１の合成実施例を以下に示す。
【０３７５】
【化１８０】
2020061389.tif 000181
【０３７６】
アルゴン雰囲気下、２−(３−ブロモフェニル)−４，６−ジフェニル−１，３，５−トリアジン３．８８ｇ、９’−フェニル−９Ｈ，９’Ｈ−２，３−ビカルバゾール４．５０ｇ、トリスジベンジリデンアセトンジパラジウム（０）  ０．１８３ｇ、トリｔ−ブチルホスホニウムテトラフルオロボレート０．１１６ｇ、ｔ−ブトキシナトリウム１．３５ｇ、及びキシレン４０ｍＬをフラスコに仕込み、１４０℃で６時間加熱攪拌をした。室温まで冷却後、反応溶液を濃縮した。残渣を再結晶にて精製し、４．６５ｇの黄色固体を得た。この黄色固体は、マススペクトル分析の結果、目的物（化合物ＰＧＨ−Ｎ１）であり、分子量７１５．２７に対し、ｍ／ｅ＝７１５であった。
【０３７７】
（合成実施例２）
化合物ＰＧＨ−Ｎ２の合成実施例を以下に示す。
【０３７８】
【化１８１】
2020061389.tif 000182
【０３７９】
化合物ＰＧＨ−Ｎ１の合成において、９’−フェニル−９Ｈ，９’Ｈ−２，３−ビカルバゾールの代わりに９’−フェニル−９Ｈ，９’Ｈ−３，３−ビカルバゾールを用いた他は、合成実施例１と同様に合成し、化合物ＰＧＨ−Ｎ２を得た。この合成により得た化合物は、マススペクトル分析の結果、目的物（化合物ＰＧＨ−Ｎ２）であり、分子量７１５．２７に対し、ｍ／ｅ＝７１５であった。
【０３８０】
（合成実施例３）
化合物ＰＧＨ−Ｎ３の合成実施例を以下に示す。
【０３８１】
【化１８２】
2020061389.tif 000183
【０３８２】
化合物ＰＧＨ−Ｎ１の合成において、９’−フェニル−９Ｈ，９’Ｈ−２，３−ビカルバゾールの代わりに９’−フェニル−９Ｈ，９’Ｈ−３，３−ビカルバゾールを用い、２−（３−ブロモフェニル）−４，６−ジフェニル−１，３，５−トリアジンの代わりに２−（４−ブロモフェニル）−４，６−ジフェニル−１，３，５−トリアジンを用いた他は、合成実施例１と同様に合成し、化合物ＰＧＨ−Ｎ３を得た。この合成で得た化合物は、マススペクトル分析の結果、目的物（化合物ＰＧＨ−Ｎ３）であり、分子量７１５．２７に対し、ｍ／ｅ＝７１５であった。
【０３８３】
（合成実施例４）
化合物ＰＧＨ−Ｎ４の合成実施例を以下に示す。
【０３８４】
【化１８３】
2020061389.tif 000184
【０３８５】
化合物ＰＧＨ−Ｎ１の合成において、２−（３−ブロモフェニル）−４,６−ジフェニル−１，３，５−トリアジンの代わりに２−（３’−ブロモビフェニル−３−イル)−４，６−ジフェニル−１，３，５−トリアジンを用いた他は、合成実施例１と同様に合成し、化合物ＰＧＨ−Ｎ４を得た。この合成で得た化合物は、マススペクトル分析の結果、目的物（化合物ＰＧＨ−Ｎ４）であり、分子量７９１．３０に対し、ｍ／ｅ＝７９１であった。
【０３８６】
（合成実施例５）
化合物ＰＧＨ−Ｎ５の合成実施例を以下に示す。
【０３８７】
【化１８４】
2020061389.tif 000185
【０３８８】
化合物ＰＧＨ−Ｎ１の合成において、９’−フェニル−９Ｈ，９’Ｈ−２，３−ビカルバゾールの代わりに９’−フェニル−９Ｈ，９’Ｈ−３，３−ビカルバゾールを用い、２−（３−ブロモフェニル）−４，６−ジフェニル−１，３，５−トリアジンの代わりに２−（３’−ブロモビフェニル−３−イル)−４，６−ジフェニル−１，３，５−トリアジンを用いた他は、合成実施例１と同様に合成し、化合物ＰＧＨ−Ｎ５を得た。この合成で得た化合物は、マススペクトル分析の結果、目的物（化合物ＰＧＨ−Ｎ５）であり、分子量７９１．３０に対し、ｍ／ｅ＝７９１であった。
【０３８９】
（合成実施例６）
化合物ＰＧＨ−Ｎ６の合成実施例を以下に示す。
【０３９０】
【化１８５】
2020061389.tif 000186
【０３９１】
化合物ＰＧＨ−Ｎ１の合成において、２−（３−ブロモフェニル）−４，６−ジフェニル−１，３，５−トリアジンの代わりに２−（３−ブロモフェニル）−４−（３−ビフェニル）−６−フェニル−１，３，５−トリアジンを用いた他は、合成実施例１と同様に合成し、化合物ＰＧＨ−Ｎ６を得た。この合成で得た化合物は、マススペクトル分析の結果、目的物（化合物ＰＧＨ−Ｎ６）であり、分子量７９１．３０に対し、ｍ／ｅ＝７９１であった。
【０３９２】
（合成実施例７）
化合物ＰＧＨ−Ｎ７の合成実施例を以下に示す。
【０３９３】
【化１８６】
2020061389.tif 000187
【０３９４】
化合物ＰＧＨ−Ｎ１の合成において、２−（３−ブロモフェニル）−４,６−ジフェニル−１，３，５−トリアジンの代わりに２−（３−ブロモフェニル）−４−（４−ビフェニル）−６−フェニル−１，３，５−トリアジンを用いた他は、合成実施例１と同様に合成し、化合物ＰＧＨ−Ｎ７を得た。この合成で得た化合物は、マススペクトル分析の結果、目的物（化合物ＰＧＨ−Ｎ７）であり、分子量７９１．３０に対し、ｍ／ｅ＝７９１であった。
【０３９５】
（合成実施例８）
化合物ＰＧＨ−Ｎ８の合成実施例を以下に示す。
【０３９６】
【化１８７】
2020061389.tif 000188
【０３９７】
化合物ＰＧＨ−Ｎ１の合成において、９’−フェニル−９Ｈ，９’Ｈ−２，３−ビカルバゾールの代わりに９’−フェニル−９Ｈ，９’Ｈ−３，３−ビカルバゾールを用い、２−（３−ブロモフェニル）−４，６−ジフェニル−１，３，５−トリアジンの代わりに２−（３−ブロモフェニル）−４−（３−ビフェニル）−６−フェニル−１，３，５−トリアジンを用いた他は、合成実施例１と同様に合成し、化合物ＰＧＨ−Ｎ８を得た。この合成で得た化合物は、マススペクトル分析の結果、目的物（化合物ＰＧＨ−Ｎ８）であり、分子量７９１．３０に対し、ｍ／ｅ＝７９１であった。
【０３９８】
（合成実施例９）
化合物ＰＧＨ−Ｎ９の合成実施例を以下に示す。
【０３９９】
【化１８８】
2020061389.tif 000189
【０４００】
化合物ＰＧＨ−Ｎ１の合成において、９’−フェニル−９Ｈ，９’Ｈ−２，３−ビカルバゾールの代わりに９’−フェニル−９Ｈ，９’Ｈ−３，３−ビカルバゾールを用い、２−（３−ブロモフェニル）−４，６−ジフェニル−１，３，５−トリアジンの代わりに２（３−ブロモフェニル）−４−（４−ビフェニル）−６−フェニル−１，３，５−トリアジンを用いた他は、合成実施例１と同様に合成し、化合物ＰＧＨ−Ｎ９を得た。この合成で得た化合物は、マススペクトル分析の結果、目的物（化合物ＰＧＨ−Ｎ９）であり、分子量７９１．３０に対し、ｍ／ｅ＝７９１であった。
【０４０１】
（合成実施例１０）
化合物ＰＧＨ−Ｎ１０の合成実施例を以下に示す。
【０４０２】
【化１８９】
2020061389.tif 000190
【０４０３】
化合物ＰＧＨ−Ｎ１の合成において、９’−フェニル−９Ｈ，９’Ｈ−２，３−ビカルバゾールの代わりに９’−フェニル−９Ｈ，９’Ｈ−３，３−ビカルバゾールを用い、２−（３−ブロモフェニル）−４，６−ジフェニル−１，３，５−トリアジンの代わりに２−（４−ブロモフェニル）−４−（３−ビフェニル）−６−フェニル−１，３，５−トリアジンを用いた他は、合成実施例１と同様に合成し、化合物ＰＧＨ−Ｎ１０を得た。この合成で得た化合物は、マススペクトル分析の結果、目的物（ＰＧＨ−Ｎ１０）であり、分子量７９１．３０に対し、ｍ／ｅ＝７９１であった。
【０４０４】
（合成実施例１１）
化合物ＰＧＨ−Ｎ１１の合成実施例を以下に示す。
【０４０５】
【化１９０】
2020061389.tif 000191
【０４０６】
化合物ＰＧＨ−Ｎ１の合成において、９’−フェニル−９Ｈ，９’Ｈ−２，３−ビカルバゾールの代わりに９’−フェニル−９Ｈ，９’Ｈ−３，３−ビカルバゾールを用い、２−（３−ブロモフェニル）−４,６−ジフェニル−１，３，５−トリアジンの代わりに２−（４−ブロモフェニル）−４−（４−ビフェニル）−６−フェニル−１，３，５−トリアジンを用いた他は、合成実施例１と同様に合成し、化合物ＰＧＨ−Ｎ１１を得た。この合成で得た化合物は、マススペクトル分析の結果、目的物（化合物ＰＧＨ−Ｎ１１）であり、分子量７９１．３０に対し、ｍ／ｅ＝７９１であった。
【０４０７】
（合成実施例１２）
化合物ＰＧＨ−Ｎ１２の合成実施例を以下に示す。
【０４０８】
【化１９１】
2020061389.tif 000192
【０４０９】
【化１９２】
2020061389.tif 000193
【０４１０】
【化１９３】
2020061389.tif 000194
【０４１１】
【化１９４】
2020061389.tif 000195
【０４１２】
（１）３−ブロモ−５−クロロベンズアルデヒドの合成
アルゴン雰囲気下、３，５−ジブロモクロロベンゼン６９２ｇ、脱水ジエーテル１．７５Ｌ、及び脱水トルエン５．２５Ｌをフラスコに仕込み、−６０℃まで冷却した。１．６Ｍのｎ−ブチルリチウムのヘキサン溶液１．６Ｌを滴下して加え、−６０℃にて１時間攪拌した。攪拌後、Ｎ，Ｎ−ジメチルホルムアミド５９５ｇを滴下し、−６０℃にて１時間攪拌を続けて反応させた。反応終了後、１Ｎ塩酸水溶液２Ｌを添加した。反応溶液をトルエンにて抽出し、有機層を水にて洗浄した後、硫酸マグネシウムにて脱水後、濃縮した。残渣をシリカゲルカラムクロマトグラフィにて精製し、３−ブロモ−５−クロロベンズアルデヒド７４５ｇを得た。ＤＭＦは、Ｎ，Ｎ−ジメチルホルムアミドの略称である。
【０４１３】
（２）Ｎ−[(３−ブロモ−５−クロロフェニル)メチレン]ベンゼンアミンの合成
アルゴン雰囲気下、３−ブロモ−５−クロロベンズアルデヒド７４５ｇ、アニリン２３８ｇ、及びトルエン５Ｌをフラスコに仕込み、１１０℃にて１８時間加熱攪拌を続けた。反応終了後、室温まで冷却し、反応溶液を濃縮乾固させ、Ｎ−[(３−ブロモ−５−クロロフェニル)メチレン]ベンゼンアミン７０２ｇを得た。
【０４１４】
（３）２−(３−ブロモ−５−クロロフェニル)−４，６−ジフェニル−１，３，５−トリアジンの合成
Ｎ−[(３−ブロモ−５−クロロフェニル)メチレン]ベンゼンアミン７０２ｇ、ベンズアミジン塩酸塩７４６ｇ、脱水エタノール１０．５Ｌ、及び水酸化ナトリウム２８６ｇをフラスコに仕込み、８０℃にて２０時間攪拌をした。室温まで冷却し、析出した結晶をろ取した。得られた結晶をトルエンにて再結晶し、２−(３−ブロモ−５−クロロフェニル)−４，６−ジフェニル−１，３，５−トリアジン１５０ｇを得た。
【０４１５】
（４）２−(５−クロロビフェニル−３−イル)−４，６−ジフェニル−１，３，５−トリアジンの合成
アルゴン雰囲気下、１−(３−ブロモ−５−クロロフェニル)−３，５−ジフェニル−１，３，５−トリアジン８．４５ｇ、フェニルボロン酸２．６８ｇ、テトラキストリフェニルホスフィンパラジウム（０）  ０．６９３ｇ、２Ｍ炭酸ナトリウム水溶液３０ｍＬ、及びトルエン６０ｍＬをフラスコに加えて、１００℃にて２４時間加熱攪拌した。室温まで冷却後、水層を除去し、有機層を飽和食塩水で洗浄した後、硫酸マグネシウムで乾燥させた。有機層を濃縮し、残渣をシリカゲルカラムクロマトグラフィにて精製し、１−(５−クロロビフェニル−３−イル)−３，５−ジフェニル−１，３，５−トリアジン５．５０ｇを得た。
【０４１６】
（５）化合物ＰＧＨ−Ｎ１２の合成
アルゴン雰囲気下、２−(３−ブロモ−５−クロロフェニル)−４，６−ジフェニル−１，３，５−トリアジン１．６７ｇ、９’−フェニル−９Ｈ，９’Ｈ−２，３−ビカルバゾール１．６３ｇ、トリスジベンジリデンアセトンジパラジウム（０）  ０．０７３ｇ、トリｔ−ブチルホスホニウムテトラフルオロボレート０．０９２ｇ、ｔ−ブトキシナトリウム１．１５ｇ、及びキシレン４０ｍＬをフラスコに仕込み、１４０℃で６時間加熱攪拌をした。室温まで冷却後、反応溶液を濃縮した。残渣をシリカゲルカラムクロマトグラフィにて精製し、１．９２ｇの黄色固体を得た。この黄色固体は、マススペクトル分析の結果、目的物（化合物ＰＧＨ−Ｎ１２）であり、分子量７９１．３０に対し、ｍ／ｅ＝７９１であった。
【０４１７】
（合成実施例１３）
化合物ＰＧＨ−Ｎ１３の合成実施例を以下に示す。
【０４１８】
【化１９５】
2020061389.tif 000196
【０４１９】
化合物ＰＧＨ−Ｎ１２の合成において、９’−フェニル−９Ｈ，９’Ｈ−２，３−ビカルバゾールの代わりに９’−フェニル−９Ｈ，９’Ｈ−３，３−ビカルバゾールを用いた他は、合成実施例１２と同様に合成し、化合物ＰＧＨ−Ｎ１３を得た。この合成により得た化合物は、マススペクトル分析の結果、目的物（ＰＧＨ−Ｎ１３）であり、分子量７９１．３０に対し、ｍ／ｅ＝７９１であった。
【０４２０】
＜有機ＥＬ素子の作製−１＞
有機ＥＬ素子を以下のように作製した。
【０４２１】
（実施例１）
２５ｍｍ×７５ｍｍ×１．１ｍｍ厚のＩＴＯ透明電極（陽極）付きガラス基板（ジオマティック社製）をイソプロピルアルコール中で超音波洗浄を５分間行なった後、ＵＶオゾン洗浄を３０分間行なった。ＩＴＯの膜厚は、１３０ｎｍとした。
洗浄後の透明電極ライン付きガラス基板を真空蒸着装置の基板ホルダーに装着し、まず透明電極ラインが形成されている側の面上に前記透明電極を覆うようにして化合物ＨＡＴを蒸着して膜厚１０ｎｍのＨＡＴ膜を成膜し、正孔注入層を形成した。
次に、この正孔注入層の上に、化合物ＨＴ−１を蒸着して膜厚１１０ｎｍのＨＴ−１膜を成膜し、第一正孔輸送層を形成した。
次に、この第一正孔輸送層の上に、化合物ＨＴ−２を蒸着して膜厚３５ｎｍのＨＴ−２膜を成膜し、第二正孔輸送層を形成した。
次に、この第二正孔輸送層の上に、化合物ＰＧＨ−Ｐ１、化合物ＰＧＨ−Ｎ１、及び化合物ＰＧＤ−１を共蒸着により成膜し、膜厚４０ｎｍの発光層を形成した。発光層に含まれる化合物ＰＧＨ−Ｐ１の濃度は、４７．５質量％、化合物ＰＧＨ−Ｎ１の濃度は、４７．５質量％、化合物ＰＧＤ−１の濃度は、５質量％とした。
この発光層の成膜に続けて、化合物ＥＴ−１を蒸着により成膜し、膜厚５ｎｍの第一電子輸送層を形成した。この第一電子輸送層の成膜に続けて、化合物ＥＴ−２と８−キノリノラトリチウム（Ｌｉｑ）とを５０：５０の質量比で共蒸着により成膜し、膜厚２５ｎｍの第二電子輸送層を形成した。
この第二電子輸送層上にＬｉｑを蒸着して、膜厚１ｎｍの電子注入層を形成した。
この電子注入層上に金属Ａｌを蒸着して、膜厚８０ｎｍの金属陰極を形成した。
【０４２２】
（実施例２）
実施例２の有機ＥＬ素子は、実施例１の発光層における化合物ＰＧＨ−Ｐ１に代えて、化合物ＰＧＨ−Ｐ２を用いたこと以外、実施例１と同様にして作製した。
【０４２３】
（実施例３）
実施例３の有機ＥＬ素子は、実施例１の発光層における化合物ＰＧＨ−Ｐ１に代えて、化合物ＰＧＨ−Ｐ３を用いたこと以外、実施例１と同様にして作製した。
【０４２４】
（実施例４）
実施例４の有機ＥＬ素子は、実施例１の発光層における化合物ＰＧＨ−Ｎ１に代えて、化合物ＰＧＨ−Ｎ２を用いたこと以外、実施例１と同様にして作製した。
【０４２５】
（実施例５）
実施例５の有機ＥＬ素子は、実施例１の発光層における化合物ＰＧＨ−Ｎ１に代えて、化合物ＰＧＨ−Ｎ３を用いたこと以外、実施例１と同様にして作製した。
【０４２６】
（実施例６）
実施例６の有機ＥＬ素子は、実施例１の発光層における化合物ＰＧＨ−Ｎ１に代えて、化合物ＰＧＨ−Ｎ４を用いたこと以外、実施例１と同様にして作製した。
【０４２７】
（実施例７）
実施例７の有機ＥＬ素子は、実施例１の発光層における化合物ＰＧＨ−Ｎ１に代えて、化合物ＰＧＨ−Ｎ５を用いたこと以外、実施例１と同様にして作製した。
【０４２８】
（実施例８）
実施例８の有機ＥＬ素子は、実施例１の発光層における化合物ＰＧＨ−Ｎ１に代えて、化合物ＰＧＨ−Ｎ６を用いたこと以外、実施例１と同様にして作製した。
【０４２９】
（実施例９）
実施例９の有機ＥＬ素子は、実施例１の発光層における化合物ＰＧＨ−Ｎ１に代えて、化合物ＰＧＨ−Ｎ７を用いたこと以外、実施例１と同様にして作製した。
【０４３０】
（実施例１０）
実施例１０の有機ＥＬ素子は、実施例１の発光層における化合物ＰＧＨ−Ｎ１に代えて、化合物ＰＧＨ−Ｎ８を用いたこと以外、実施例１と同様にして作製した。
【０４３１】
（実施例１１）
実施例１１の有機ＥＬ素子は、実施例１の発光層における化合物ＰＧＨ−Ｎ１に代えて、化合物ＰＧＨ−Ｎ９を用いたこと以外、実施例１と同様にして作製した。
【０４３２】
（実施例１２）
実施例１２の有機ＥＬ素子は、実施例１の発光層における化合物ＰＧＨ−Ｎ１に代えて、化合物ＰＧＨ−Ｎ１０を用いたこと以外、実施例１と同様にして作製した。
【０４３３】
（実施例１３）
実施例１３の有機ＥＬ素子は、実施例１の発光層における化合物ＰＧＨ−Ｎ１に代えて、化合物ＰＧＨ−Ｎ１１を用いたこと以外、実施例１と同様にして作製した。
【０４３４】
（実施例１４）
実施例１４の有機ＥＬ素子は、実施例１の発光層における化合物ＰＧＨ−Ｎ１に代えて、化合物ＰＧＨ−Ｎ１２を用いたこと以外、実施例１と同様にして作製した。
【０４３５】
（実施例１５）
実施例１５の有機ＥＬ素子は、実施例１の発光層における化合物ＰＧＨ−Ｎ１に代えて、化合物ＰＧＨ−Ｎ１３を用いたこと以外、実施例１と同様にして作製した。
【０４３６】
（比較例１）
比較例１の有機ＥＬ素子は、実施例１の発光層における化合物ＰＧＨ−Ｐ１に代えて、化合物ＰＧＨ−Ｃ１を用いたこと以外、実施例１と同様にして作製した。
【０４３７】
（比較例２）
比較例２の有機ＥＬ素子は、実施例１の発光層における化合物ＰＧＨ−Ｐ１に代えて、化合物ＰＧＨ−Ｃ２を用いたこと以外、実施例１と同様にして作製した。
【０４３８】
（比較例３）
比較例３の有機ＥＬ素子は、実施例１の発光層の形成に用いた化合物を、化合物ＰＧＨ−Ｎ１、及び化合物ＰＧＤ−１に変更したこと以外、実施例１と同様にして作製した。
【０４３９】
＜有機ＥＬ素子の評価−１＞
作製した有機ＥＬ素子について、以下の評価を行った。評価結果を表１に示す。
【０４４０】
・駆動電圧Ｖ
電流密度が１０ｍＡ／ｃｍ２となるようにＩＴＯ透明電極と金属Ａｌ陰極との間に通電したときの電圧（単位：Ｖ）を計測した。
【０４４１】
・外部量子効率ＥＱＥ
電流密度が１０ｍＡ／ｃｍ２となるように素子に電圧を印加した時の分光放射輝度スペクトルを分光放射輝度計ＣＳ−１０００（コニカミノルタ社製）で計測した。得られた分光放射輝度スペクトルから、ランバシアン放射を行なったと仮定し、外部量子効率ＥＱＥ（単位：％）を算出した。
【０４４２】
・寿命ＬＴ９７
初期電流密度を１０ｍＡ／ｃｍ２に設定して直流の連続通電試験を行い、試験開始時の輝度に対して、輝度が９７％まで減少する時間を測定し、その測定された時間を寿命ＬＴ９７（単位：時間（ｈｒｓ））とした。
【０４４３】
【表１】
2020061389.tif 000197
【０４４４】
実施例１〜１５の有機ＥＬ素子は、比較例１の有機ＥＬ素子に比べて、駆動電圧が低下した。実施例１〜１５の有機ＥＬ素子は、比較例１の有機ＥＬ素子に比べて、外部量子効率が向上し、長寿命化した。
比較例１及び比較例２と、実施例１とを比較することにより、実施例１の有機ＥＬ素子で得られた低電圧化効果は、シアノ基を置換することだけで発現していないこと、また、縮合アリール置換基だけで発現していないことがわかる。実施例１において、縮合芳香族アリール基にシアノ基を置換することで特異的に低電圧化する効果が得られた。実施例１において、更に第二の化合物を発光層に添加することで、長寿命化効果が維持された。低電圧化効果、及び長寿命化効果は、本発明内の化合物群において同様に確認された。
【０４４５】
＜有機ＥＬ素子の作製−２＞
有機ＥＬ素子を以下のように作製した。
【０４４６】
（実施例１６）
実施例１６の有機ＥＬ素子は、実施例１の発光層における化合物ＰＧＨ−Ｎ１に代えて、化合物ＰＧＨ−Ｎ１４を用いたこと以外、実施例１と同様にして作製した。
【０４４７】
（比較例４）
比較例４の有機ＥＬ素子は、比較例１の発光層における化合物ＰＧＨ−Ｎ１に代えて、化合物ＰＧＨ−Ｎ１４を用いたこと以外、比較例１と同様にして作製した。
【０４４８】
＜有機ＥＬ素子の評価−２＞
作製した有機ＥＬ素子について、前述と同様の方法により、駆動電圧Ｖ、外部量子効率ＥＱＥ、及び寿命ＬＴ９７の評価を行った。評価結果を表２に示す。
【０４４９】
【表２】
2020061389.tif 000198
【０４５０】
実施例１６の有機ＥＬ素子は、比較例４の有機ＥＬ素子に比べて、駆動電圧が低下した。実施例１６の有機ＥＬ素子は、比較例４の有機ＥＬ素子に比べて、外部量子効率が向上し、長寿命化した。
【０４５１】
＜有機ＥＬ素子の作製−３＞
有機ＥＬ素子を以下のように作製した。
【０４５２】
（実施例１７）
実施例１７の有機ＥＬ素子は、実施例１の発光層における化合物ＰＧＨ−Ｎ１に代えて、化合物ＰＧＨ−Ｎ１５を用いたこと以外、実施例１と同様にして作製した。
【０４５３】
（比較例５）
比較例５の有機ＥＬ素子は、比較例１の発光層における化合物ＰＧＨ−Ｎ１に代えて、化合物ＰＧＨ−Ｎ１５を用いたこと以外、比較例１と同様にして作製した。
【０４５４】
＜有機ＥＬ素子の評価−３＞
作製した有機ＥＬ素子について、前述と同様の方法により、駆動電圧Ｖ、外部量子効率ＥＱＥ、及び寿命ＬＴ９７の評価を行った。評価結果を表３に示す。
【０４５５】
【表３】
2020061389.tif 000199
【０４５６】
実施例１７の有機ＥＬ素子は、比較例５の有機ＥＬ素子に比べて、駆動電圧が低下した。実施例１７の有機ＥＬ素子は、比較例５の有機ＥＬ素子に比べて、外部量子効率が向上し、長寿命化した。
【０４５７】
＜有機ＥＬ素子の作製−４＞
有機ＥＬ素子を以下のように作製した。
【０４５８】
（実施例１８）
実施例１８の有機ＥＬ素子は、実施例１の発光層における化合物ＰＧＨ−Ｎ１に代えて、化合物ＰＧＨ−Ｎ１６を用いたこと以外、実施例１と同様にして作製した。
【０４５９】
（比較例６）
比較例６の有機ＥＬ素子は、比較例１の発光層における化合物ＰＧＨ−Ｎ１に代えて、化合物ＰＧＨ−Ｎ１６を用いたこと以外、比較例１と同様にして作製した。
【０４６０】
＜有機ＥＬ素子の評価−４＞
作製した有機ＥＬ素子について、前述と同様の方法により、駆動電圧Ｖ、外部量子効率ＥＱＥ、及び寿命ＬＴ９７の評価を行った。評価結果を表４に示す。
【０４６１】
【表４】
2020061389.tif 000200
【０４６２】
実施例１８の有機ＥＬ素子は、比較例６の有機ＥＬ素子に比べて、駆動電圧が低下した。実施例１８の有機ＥＬ素子は、比較例６の有機ＥＬ素子に比べて、外部量子効率が向上し、長寿命化した。
本発明の第一の化合物による低電圧化効果は、本発明の第一の化合物と、本発明内の第二の化合物に係る化合物群との組合せにおいても同様に確認された。
【符号の説明】
【０４６３】
１…有機ＥＬ素子、３…陽極、４…陰極、５…発光層、７…正孔輸送層、８…電子輸送層。
【図１】
2020061389.tif 000229